(57)【特許請求の範囲】
【請求項１】
構成タイプを決定するように構成された決定ユニットであって、前記構成タイプが、ユーザ機器が無線ベアラ上で実行する必要がある動作を指す、決定ユニットと、
前記決定ユニットによって決定された前記構成タイプに従って第１のメッセージを生成するように構成された生成ユニットであって、前記第１のメッセージが、前記無線ベアラを構成するように前記ユーザ機器に命令するために使用される、生成ユニットと、
前記生成ユニットによって生成された前記第１のメッセージを前記ユーザ機器に送信するように構成された送信ユニットと
を備え、
前記生成ユニットは、前記構成タイプが第３のタイプの無線ベアラを確立または再構成することであると前記決定ユニットが決定したときに、前記無線ベアラの識別情報、第１の無線ベアラ確立および修正リスト、ならびに第２の無線ベアラ確立および修正リストを取得し、前記識別情報を、前記第１の無線ベアラ確立および修正リスト、ならびに前記第２の無線ベアラ確立および修正リストに追加し、前記第１の無線ベアラ確立および修正リスト、ならびに前記第２の無線ベアラ確立および修正リストを含む第１のメッセージを生成するように特に構成されることを特徴とするネットワークデバイス。
【請求項２】
ネットワークデバイスによって送信される第１のメッセージを受信するように構成された受信ユニットであって、前記第１のメッセージが、無線ベアラを構成するようにユーザ機器に命令するために使用される、受信ユニットと、
前記受信ユニットによって受信される前記第１のメッセージに従って構成タイプを決定するように構成された決定ユニットであって、前記構成タイプが、ユーザ機器が前記無線ベアラ上で実行する必要がある動作を指す、決定ユニットと、
前記決定ユニットによって決定される前記構成タイプに従って前記無線ベアラを構成するように構成された構成ユニットと
を備え、
前記決定ユニットは、前記受信ユニットによって受信される前記第１のメッセージが、第１の無線ベアラ確立および修正リスト、ならびに第２の無線ベアラ確立および修正リストを含み、前記第１の無線ベアラ確立および修正リストは、前記無線ベアラの識別情報を含み、前記第２の無線ベアラ確立および修正リストは、前記無線ベアラの前記識別情報を含み、前記無線ベアラの前記識別情報は、前記ユーザ機器の現在の構成にない場合に、前記構成タイプが第３のタイプの無線ベアラを確立することであると決定するように特に構成されることを特徴とするユーザ機器。
【請求項３】
ネットワークデバイスによって、構成タイプを決定するステップであって、前記構成タイプが、ユーザ機器が無線ベアラ上で実行する必要がある動作を指す、ステップと、
前記構成タイプに従って第１のメッセージを生成するステップであって、前記第１のメッセージが、前記無線ベアラを構成するように前記ユーザ機器に命令するために使用される、ステップと、
前記第１のメッセージを前記ユーザ機器に送信するステップと、
前記構成タイプが第３のタイプの無線ベアラを確立または再構成することであることを決定したときに、前記無線ベアラの識別情報、第１の無線ベアラ確立および修正リスト、ならびに第２の無線ベアラ確立および修正リストを取得するステップ、前記識別情報を前記第１の無線ベアラ確立および修正リストに追加するステップ、および、前記第１の無線ベアラ確立および修正リスト、ならびに第２の無線ベアラ確立および修正リストを含む第１のメッセージを生成するステップと
を含むことを特徴とする構成方法。
【請求項４】
ユーザ機器によって、ネットワークデバイスによって送信される第１のメッセージを受信するステップであって、前記第１のメッセージが、無線ベアラを構成するようにユーザ機器に命令するために使用される、ステップと、
前記無線ベアラを構成する構成タイプを前記第１のメッセージに従って決定するステップであって、前記構成タイプが、ユーザ機器が前記無線ベアラ上で実行する必要がある動作を指す、ステップと、
前記構成タイプに従って前記無線ベアラを構成するステップと
前記第１のメッセージが、第１の無線ベアラ確立および修正リスト、ならびに第２の無線ベアラ確立および修正リストを含み、前記第１の無線ベアラ確立および修正リストが、前記無線ベアラの識別情報を含み、前記第２の無線ベアラ確立および修正リストが、前記無線ベアラの前記識別情報を含み、前記無線ベアラの前記識別情報は、前記ユーザ機器の現在の構成にない場合に、前記構成タイプが第３のタイプの無線ベアラを確立することであると決定するステップと
を含むことを特徴とする構成方法。
【請求項５】
ネットワークデバイスであって、トランシーバと、プロセッサと、メモリとを備え、前記メモリがコンピュータ実行可能命令を記憶し、前記トランシーバと、前記プロセッサと、前記メモリとが通信バスを使用することによって接続され、
前記デバイスがランするときに、前記プロセッサが、構成タイプを決定し、前記構成タイプに従って第１のメッセージを生成するように構成され、
前記構成タイプが、ユーザ機器が無線ベアラ上で実行する必要がある動作を指し、前記第１のメッセージが、前記無線ベアラを構成するように前記ユーザ機器に命令するために使用され、
前記トランシーバが、前記プロセッサによって生成される前記第１のメッセージを前記ユーザ機器に送信するように構成され、
前記トランシーバは、前記構成タイプが第３のタイプの無線ベアラを確立または再構成することであることを決定したときに、前記無線ベアラの識別情報、第１の無線ベアラ確立および修正リスト、ならびに第２の無線ベアラ確立および修正リストを取得するようにさらに構成され、
前記プロセッサは、前記識別情報を前記第１の無線ベアラ確立および修正リスト、ならびに前記第２の無線ベアラ確立および修正リストに追加し、前記第１の無線ベアラ確立および修正リスト、ならびに前記第２の無線ベアラ確立および修正リストを含む第１のメッセージを生成するようにさらに構成されることを特徴とするネットワークデバイス。
【請求項６】
ユーザ機器であって、トランシーバと、プロセッサと、メモリとを備え、前記メモリがコンピュータ実行可能命令を記憶し、前記トランシーバと、前記プロセッサと、前記メモリとが通信バスを使用することによって接続され、
前記ユーザ機器がランするときに、前記トランシーバが、ネットワークデバイスから送信される第１のメッセージを受信するように構成され、前記第１のメッセージが、無線ベアラを構成するように前記ユーザ機器に命令するために使用され、かつ
前記プロセッサが、前記トランシーバによって得られる前記第１のメッセージに従って、前記無線ベアラを構成する構成タイプを決定し、前記構成タイプに従って、第１のタイプの無線ベアラ、第２のタイプの無線ベアラ、および第３のタイプの無線ベアラを構成するように構成され、前記構成タイプが、前記ユーザ機器が前記無線ベアラ上で実行する必要がある動作を指し、
前記プロセッサは、前記トランシーバによって受信される前記第１のメッセージが第１の無線ベアラ確立および修正リストと第２の無線ベアラ確立および修正リストとを含み、前記第１の無線ベアラ確立および修正リストが前記無線ベアラの識別情報を含み、前記第２の無線ベアラ確立および修正リストが前記無線ベアラの前記識別情報を含み、前記無線ベアラの前記識別情報が前記ユーザ機器の現在の構成にない場合に、前記構成タイプが第３のタイプの無線ベアラを確立することであると決定するようにさらに構成されることを特徴とするユーザ機器。
【請求項７】
コンピュータによって実行されるときに、前記コンピュータに請求項３および４のいずれか１項に記載の方法を実行させるためのプログラム。
【発明の詳細な説明】
【技術分野】
【０００１】
本発明は、通信分野に関し、特に、構成方法、ネットワークデバイス、およびユーザ機器に関する。
【背景技術】
【０００２】
ワイヤレスネットワーク技術の発展とともに、新たなネットワークアーキテクチャが登場している。ユーザ機器のスループットを向上させるために、ユーザ機器は、２つ以上の基地局に同時にデータを伝送することが可能であり、ここで、ユーザ機器と２つ以上の基地局との間で伝送されるデータは、１または複数の無線ベアラ上で搬送される。ユーザ機器では、２つ以上の基地局の中に、ただ１つだけマスタ基地局があり、その他の基地局は２次基地局であり、マスタ基地局だけが、ユーザ機器を構成する無線リソース制御メッセージを生成することができ、マスタ基地局によって提供されるユーザ機器にサービスするセルグループはマスタセルグループであり、２次基地局によって提供されるユーザ機器にサービスするセルグループは２次セルグループである。
【０００３】
この新たなネットワークアーキテクチャでは、ユーザ機器は、３つのタイプの無線ベアラ、すなわちマスタ基地局のマスタセルグループによってのみサービスされる無線ベアラ（マスタセルグループ無線ベアラ、または第１のタイプの無線ベアラとも呼ばれる）と、２次基地局の２次セルグループによってのみサービスされる無線ベアラ（２次セルグループ無線ベアラ、または第２のタイプの無線ベアラとも呼ばれる）と、マスタ基地局のマスタセルグループおよび２次基地局の２次セルグループによって同時にサービスされる無線ベアラ（オフロード無線ベアラ、または第３のタイプの無線ベアラとも呼ばれる）とを使用することによって、マスタ基地局および２次基地局と通信することが可能である。一方、ユーザ機器は、複数のＭＡＣ（Ｍｅｄｉｕｍ  Ａｃｃｅｓｓ  Ｃｏｎｔｒｏｌ、媒体アクセス制御）エンティティを有し、１つのＭＡＣエンティティ（マスタセルグループに対応するＭＡＣエンティティと呼ばれることがある）は、マスタセルグループに対応し、その他のＭＡＣエンティティのそれぞれ（２次セルグループに対応するＭＡＣエンティティと呼ばれることがある）は、１つの２次セルグループに対応する。
【０００４】
ただし、従来のネットワークアーキテクチャでは、１つのタイプの無線ベアラしかなく、ユーザ機器は１つのＭＡＣエンティティしか有していないので、従来のネットワークアーキテクチャの構成方法を使用しても、この新たなネットワークアーキテクチャの様々なタイプの無線ベアラまたはＭＡＣエンティティを正しく構成することができない。
【発明の概要】
【０００５】
本発明の実施形態は、様々なタイプの無線ベアラを正しく構成し、ＭＡＣエンティティを正しく構成する、構成方法、ネットワークデバイス、およびユーザ機器を提供する。
【０００６】
前述の目的を達成するために、本発明の実施形態では、以下の技術的解決策が使用される。
【０００７】
第１の態様によれば、
構成タイプを決定するように構成された決定ユニットであり、構成タイプが、ユーザ機器が無線ベアラ上または２次セルグループに対応する媒体アクセス制御ＭＡＣエンティティ上で実行する必要がある動作を指す決定ユニットと、
決定ユニットによって決定された構成タイプに従って第１のメッセージを生成するように構成された生成ユニットであり、第１のメッセージが、無線ベアラまたはＭＡＣエンティティを構成するようにユーザ機器に命令するために使用される生成ユニットと、
生成ユニットによって生成された第１のメッセージをユーザ機器に送信するように構成された送信ユニットと
を備えることを特徴とするネットワークデバイスが提供される。
【０００８】
第２の態様によれば、
ネットワークデバイスから送信される第１のメッセージを受信するように構成された受信ユニットであり、第１のメッセージが、無線ベアラを構成するように、または２次セルグループに対応する媒体アクセス制御ＭＡＣエンティティを構成するようにユーザ機器に命令するために使用される受信ユニットと、
受信ユニットによって受信された第１のメッセージに従って構成タイプを決定するように構成された決定ユニットであり、構成タイプが、ユーザ機器が無線ベアラ上または２次セルグループに対応する媒体アクセス制御ＭＡＣエンティティ上で実行する必要がある動作を指す決定ユニットと、
決定ユニットによって決定された構成タイプに従って無線ベアラまたはＭＡＣエンティティを構成するように構成された構成ユニットと
を備えることを特徴とするユーザ機器が提供される。
【０００９】
第３の態様によれば、
ネットワークデバイスが構成タイプを決定するステップであり、構成タイプが、ユーザ機器が無線ベアラ上または２次セルグループに対応する媒体アクセス制御ＭＡＣエンティティ上で実行する必要がある動作を指すステップと、
構成タイプに従って第１のメッセージを生成するステップであり、第１のメッセージが、無線ベアラまたはＭＡＣエンティティを構成するようにユーザ機器に命令するために使用されるステップと、
第１のメッセージをユーザ機器に送信するステップと
を含むことを特徴とする構成方法が提供される。
【００１０】
第４の態様によれば、
ネットワークデバイスから送信される第１のメッセージをユーザ機器が受信するステップであり、第１のメッセージが、無線ベアラを構成するように、または２次セルグループに対応する媒体アクセス制御ＭＡＣエンティティを構成するようにユーザ機器に命令するために使用されるステップと、
無線ベアラまたはＭＡＣエンティティを構成する構成タイプを第１のメッセージに従って決定するステップであり、構成タイプが、ユーザ機器が無線ベアラ上または２次セルグループに対応する媒体アクセス制御ＭＡＣエンティティ上で実行する必要がある動作を指すステップと、
構成タイプに従って無線ベアラまたはＭＡＣエンティティを構成するステップと
を含む構成方法が提供される。
【００１１】
第５の態様によれば、
トランシーバと、プロセッサと、メモリとを備え、メモリがコンピュータ実行可能命令を記憶し、トランシーバと、プロセッサと、メモリとが通信バスを使用することによって接続されているネットワークデバイスであって、
デバイスがランするときに、プロセッサが、構成タイプを決定し、構成タイプに従って第１のメッセージを生成するように構成され、
構成タイプが、ユーザ機器が無線ベアラ上または２次セルグループに対応する媒体アクセス制御ＭＡＣエンティティ上で実行する必要がある動作を指し、第１のメッセージが、無線ベアラまたはＭＡＣエンティティを構成するようにユーザ機器に命令するために使用され、
トランシーバが、プロセッサによって生成された第１のメッセージをユーザ機器に送信するように構成されることを特徴とするネットワークデバイスが提供される。
【００１２】
第６の態様によれば、
トランシーバと、プロセッサと、メモリとを備え、メモリがコンピュータ実行可能命令を記憶し、トランシーバと、プロセッサと、メモリとが通信バスを使用することによって接続されているユーザ機器であって、
機器がランするときに、トランシーバが、ネットワークデバイスから送信される第１のメッセージを受信するように構成され、第１のメッセージが、無線ベアラを構成するように、または２次セルグループに対応する媒体アクセス制御ＭＡＣエンティティを構成するようにユーザ機器に命令するために使用され、かつ
プロセッサが、トランシーバによって得られた第１のメッセージに従って、無線ベアラまたはＭＡＣエンティティを構成する構成タイプを決定し、構成タイプに従って、第１のタイプの無線ベアラ、第２のタイプの無線ベアラ、および第３のタイプの無線ベアラを構成する、または構成タイプに従って、２次セルグループに対応する媒体アクセス制御ＭＡＣエンティティを構成するように構成され、構成タイプが、ユーザ機器が無線ベアラ上または２次セルグループに対応する媒体アクセス制御ＭＡＣエンティティ上で実行する必要がある動作を指すことを特徴とするユーザ機器が提供される。
【００１３】
前述の解決策を使用することにより、ネットワークデバイスは、構成タイプを決定し、構成タイプに従って第１のメッセージを生成し、第１のメッセージをユーザ機器に送信し、ユーザ機器は、ネットワークデバイスから送信される第１のメッセージを受信し、第１のメッセージに従って無線ベアラまたはＭＡＣエンティティを構成する構成タイプを決定し、構成タイプに従って無線ベアラまたはＭＡＣエンティティを構成する。このようにして、ユーザ機器は、基地局から送信された第１のメッセージに従って、様々なタイプの無線ベアラを正しく構成し、ＭＡＣエンティティを正しく構成することができる。
【図面の簡単な説明】
【００１４】
本発明の実施形態または従来技術における技術的解決策をより明快に説明するために、以下、実施形態を説明するために必要とされる添付の図面を簡単に紹介する。以下の説明における添付の図面は、本発明のいくつかの実施形態を示しているに過ぎないことは明らかであり、当業者なら、創造的努力なしに、これらの添付の図面から他の図面をさらに導出することが可能である。
【図１】本発明の実施形態によるネットワークデバイスを示す概略構造図である。
【図２】本発明の実施形態によるユーザ機器を示す概略構造図である。
【図３】本発明の実施形態による構成方法を示す概略流れ図である。
【図４】本発明の実施形態による別の構成方法を示す概略流れ図である。
【図５】本発明の実施形態による別のネットワークデバイスを示す概略構造図である。
【図６】本発明の実施形態による別のユーザ機器を示す概略構造図である。
【発明を実施するための形態】
【００１５】
以下、本発明の実施形態の添付の図面を参照して、本発明の実施形態における技術的解決策について、明快かつ完全に説明する。説明される実施形態は、本発明の実施形態の全てではなく、単なる一部に過ぎないことは明らかである。当業者によって本発明の実施形態に基づいて創造的努力なしに得られる他の全ての実施形態は、本発明の保護範囲内に含まれるものとする。
【００１６】
本発明の実施形態で使用される用語は、単に具体的な実施形態を説明するためのものであり、本発明を限定することが意図されているわけではない。本発明の実施形態および添付の特許請求の範囲で使用される単数形の「ａ」、「ｓａｉｄ」および「ｔｈｅ」は、文脈からそうでないことが明らかでない限り、複数形も含むものと意図されている。また、本明細書で使用される「および／または」という用語は、１または複数の関連する列挙されている品目の任意または全ての可能な組合せを示し、かつ含むことも理解されたい。
【００１７】
本発明の実施形態では、「第１の」、「第２の」、「第３の」などの用語が、様々なメッセージならびに無線ベアラのタイプおよびリストを述べるために使用されることがあるが、これらのメッセージならびに無線ベアラのこれらのタイプおよびリストは、これらの用語に限定されないことを理解されたい。これらの用語は、単に、メッセージどうしを区別するために、また無線ベアラのタイプどうし、およびリストどうしを区別するために使用されているものである。例えば、本発明の実施形態の範囲内で、第１のタイプの無線ベアラが、第２のタイプの無線ベアラと呼ばれてもまたよく、同様に、第２のタイプの無線ベアラが、第１のタイプの無線ベアラと呼ばれてもまたよい。
【００１８】
文脈により、例えば、本明細書で使用される「場合」という言葉は、「…間」または「…とき」または「決定したのに応答して」または「検出に応答して」として説明されることがある。同様に、文脈により、「決定した場合」または「（述べられている状態または事象を）検出した場合」という文句は、「決定したとき」または「決定したのに応答して」または「（述べられている状態または事象を）検出したとき」または「（述べられている状態または事象を）検出したのに応答して」として説明されることがある。
【００１９】
本発明の実施形態は、ネットワークデバイス１０を提供する。図１に示すように、ネットワークデバイス１０は、
構成タイプを決定するように構成された決定ユニット１１であり、構成タイプが、ユーザ機器が無線ベアラ上または２次セルグループに対応する媒体アクセス制御ＭＡＣエンティティ上で実行する必要がある動作を指す決定ユニット１１と、
決定ユニット１１によって決定された構成タイプに従って第１のメッセージを生成するように構成された生成ユニット１２であり、第１のメッセージが、無線ベアラまたはＭＡＣエンティティを構成するようにユーザ機器に命令するために使用される生成ユニット１２と、
生成ユニット１２によって生成された第１のメッセージをユーザ機器に送信するように構成された送信ユニット１３とを備える。
【００２０】
ネットワークデバイスは、基地局とすることが可能であり、基地局は、マスタ基地局とすることが可能であり、第１のメッセージは、無線リソース制御メッセージとすることが可能である。
【００２１】
決定ユニットおよび生成ユニットの機能は、ネットワークデバイスのプロセッサを使用することによって実施され得ること、送信ユニットの機能は、ネットワークデバイスのトランシーバを使用することによって実施され得ること、プロセッサとトランシーバの間の接続関係については、図５に示すネットワークデバイスを参照されたいこと、および図５の通信インタフェースがトランシーバを備えることに留意されたい。
【００２２】
具体的には、ユーザ機器に対応するマスタ基地局および２次基地局と通信するために別個に使用される、３つのタイプの無線ベアラがある。第１のタイプの無線ベアラは、マスタセルグループ無線ベアラとすることが可能であり、第２のタイプの無線ベアラは、２次セルグループ無線ベアラとすることが可能であり、第３のタイプの無線ベアラは、オフロード無線ベアラとすることが可能である。ユーザ機器は、マスタセルグループ無線ベアラを使用することによってマスタ基地局と通信し、２次セルグループ無線ベアラを使用することによって２次基地局と通信し、オフロード無線ベアラを使用することによってマスタ基地局および２次基地局と同時に通信する。現在の構成は、ユーザ機器に保存され、ここで、現在の構成は、無線ベアラを構成するために使用される。
【００２３】
マスタセルグループ無線ベアラは、１つのＰＤＣＰ（Ｐａｃｋｅｔ  Ｄａｔａ  Ｃｏｎｖｅｒｇｅｎｃｅ  Ｐｒｏｔｏｃｏｌ、パケットデータ収束プロトコル）エンティティ、１つのＲＬＣ（Ｒａｄｉｏ  Ｌｉｎｋ  Ｃｏｎｔｒｏｌ、無線リンク制御）エンティティ、および１つのＬＣＨ（Ｌｏｇｉｃａｌ  Ｃｈａｎｎｅｌ、論理チャネル）を含み、２次セルグループ無線ベアラは、１つのＰＤＣＰエンティティ、１つのＲＬＣエンティティ、および１つのＬＣＨを含み、オフロード無線ベアラは、１つのＰＤＣＰエンティティ、２つのＲＬＣエンティティ、および２つのＬＣＨを含み、ここで、ＬＣＨは、ＭＡＣ（Ｍｅｄｉｕｍ  Ａｃｃｅｓｓ  Ｃｏｎｔｒｏｌ、媒体アクセス制御）エンティティである。
【００２４】
さらに、ネットワークデバイスが構成タイプを決定するときには、以下の要因のうちの１つが考慮され得る、すなわち端末から送信される測定報告、端末によってサポートされる無線ベアラタイプ、マスタ基地局と２次基地局の間のバックボーンネットワーク負荷、コアネットワークの負荷、無線ベアラのサービス品質（Ｑｕａｌｉｔｙ  ｏｆ  Ｓｅｒｖｉｃｅ、ＱｏＳ）、ＭｅＮＢの負荷、およびＳｅＮＢの負荷のうちの１つが考慮され得る。
【００２５】
例えば、無線ベアラの確立に対する無線ベアラのＱｏＳの影響を一例として使用すると、無線ベアラのＱｏＳが高いスループットを必要とする場合には、ネットワークデバイスは、その無線ベアラを第２のタイプの無線ベアラまたは第３のタイプの無線ベアラとして確立すると決定し、無線ベアラのＱｏＳが低いスループットを必要とする場合には、ネットワークデバイスは、その無線ベアラを第１のタイプの無線ベアラとして確立すると決定する。
【００２６】
例えば、無線ベアラの再確立に対するマスタ基地局と２次基地局の間のバックボーンネットワーク負荷の影響を一例として使用すると、マスタ基地局と２次基地局の間のバックボーンネットワーク負荷が大きい場合には、ネットワークデバイスは、１または複数の第３のタイプの無線ベアラを第１のタイプまたは第２のタイプの無線ベアラとして再確立すると決定し、マスタ基地局と２次基地局の間のバックボーンネットワーク負荷が小さい場合には、ネットワークデバイスは、１または複数の第１のタイプまたは第２のタイプの無線ベアラを１つの第３のタイプの無線ベアラとして再確立すると決定する。
【００２７】
例えば、無線ベアラの再確立に対するコアネットワークの負荷の影響を一例として使用すると、コアネットワークの負荷が大きい場合には、ネットワークデバイスは、１または複数の第２のタイプの無線ベアラを第１のタイプまたは第３のタイプの無線ベアラとして再確立すると決定し、コアネットワークの負荷が小さい場合には、ネットワークデバイスは、１または複数の第１のタイプまたは第３のタイプの無線ベアラを第２のタイプの無線ベアラとして再確立すると決定する。
【００２８】
例えば、無線ベアラの再確立に対するマスタ基地局の負荷の影響を一例として使用すると、マスタ基地局の負荷が大きい場合には、ネットワークデバイスは、１または複数の第１のタイプまたは第３のタイプの無線ベアラを第２のタイプの無線ベアラとして再確立すると決定し、マスタ基地局の負荷が小さい場合には、ネットワークデバイスは、１または複数の第２のタイプの無線ベアラを第１のタイプまたは第３のタイプの無線ベアラとして再確立すると決定する。
【００２９】
さらに、生成ユニット１２は、構成タイプが決定された後で、対応する制御メッセージ（すなわち、第１のメッセージ）を生成することが可能である。
【００３０】
任意選択で、生成ユニット１２は、構成タイプが第１のタイプの無線ベアラを確立もしくは再構成することであると決定ユニット１１が決定したときに、無線ベアラの識別情報と、第１の無線ベアラ確立および修正リストとを取得し、識別情報を第１の無線ベアラ確立および修正リストに追加し、第１の無線ベアラ確立および修正リストを含む第１のメッセージを生成するように特に構成される。
【００３１】
任意選択で、生成ユニット１２は、構成タイプが第２のタイプの無線ベアラを確立もしくは再構成することであると決定ユニット１１が決定したときに、無線ベアラの識別情報と、第２の無線ベアラ確立および修正リストとを取得し、識別情報を第２の無線ベアラ確立および修正リストに追加し、第２の無線ベアラ確立および修正リストを含む第１のメッセージを生成するように特に構成される。
【００３２】
任意選択で、生成ユニット１２は、構成タイプが第３のタイプの無線ベアラを確立もしくは再構成することであると決定ユニット１１が決定したときに、無線ベアラの識別情報と、第１の無線ベアラ確立および修正リストと、第２の無線ベアラ確立および修正リストとを取得し、識別情報を第１の無線ベアラ確立および修正リストと第２の無線ベアラ確立および修正リストとに追加し、第１の無線ベアラ確立および修正リストと第２の無線ベアラ確立および修正リストとを含む第１のメッセージを生成するように特に構成される。
【００３３】
任意選択で、生成ユニット１２は、構成タイプが無線ベアラを解放することであると決定ユニット１１が決定したときに、無線ベアラの識別情報および第１の無線ベアラ解放リストを取得し、識別情報を第１の無線ベアラ解放リストに追加し、第１の無線ベアラ解放リストを含む第１のメッセージを生成するように特に構成される。
【００３４】
任意選択で、生成ユニット１２は、構成タイプが無線ベアラを解放することであると決定ユニット１１が決定したときに、無線ベアラの識別情報および第２の無線ベアラ解放リストを取得し、識別情報を第２の無線ベアラ解放リストに追加し、第２の無線ベアラ解放リストを含む第１のメッセージを生成するように特に構成される。
【００３５】
任意選択で、生成ユニット１２は、構成タイプが無線ベアラを解放することであると決定ユニット１１が決定したときに、無線ベアラの識別情報、第１の無線ベアラ解放リスト、および第２の無線ベアラ解放リストを取得し、識別情報を第１の無線ベアラ解放リストおよび第２の無線ベアラ解放リストに追加し、第１の無線ベアラ解放リストおよび第２の無線ベアラ解放リストを含む第１のメッセージを生成するように特に構成される。
【００３６】
任意選択で、生成ユニット１２は、構成タイプがユーザ機器に対応する全ての確立された無線ベアラを第１のタイプの無線ベアラとして再確立することであると決定ユニット１１が決定したときに、第１の再確立識別を含む第１のメッセージを生成するように特に構成される。
【００３７】
任意選択で、生成ユニット１２は、構成タイプがユーザ機器に対応する全ての確立された無線ベアラを第１のタイプの無線ベアラとして再確立することであると決定ユニット１１が決定したときに、無線ベアラの識別情報、および第１のタイプの無線ベアラ再確立リストを取得し、識別情報を第１のタイプの無線ベアラ再確立リストに追加し、第１のタイプの無線ベアラ再確立リストを含む第１のメッセージを生成するように特に構成される。
【００３８】
任意選択で、生成ユニット１２は、構成タイプがユーザ機器に対応する全ての確立された無線ベアラを第１のタイプの無線ベアラとして再確立することであると決定ユニット１１が決定したときに、無線ベアラの識別情報と、第１の無線ベアラ解放リストと、第１の無線ベアラ確立および修正リストとを取得し、識別情報を第１の無線ベアラ解放リストと第１の無線ベアラ確立および修正リストとに追加し、第１の無線ベアラ解放リストと第１の無線ベアラ確立および修正リストとを含む第１のメッセージを
生成するように特に構成される。
【００３９】
任意選択で、生成ユニット１２は、構成タイプがユーザ機器に対応する全ての確立された無線ベアラを第１のタイプの無線ベアラとして再確立することであると決定ユニット１１が決定したときに、無線ベアラの識別情報と、無線ベアラの識別情報に対応する進化型パケットシステムベアラの識別情報と、第１の無線ベアラ解放リストと、第１の無線ベアラ確立および修正リストとを取得し、無線ベアラの識別情報を第１の無線ベアラ解放リストに追加し、進化型パケットシステムベアラの識別情報を第１の無線ベアラ確立および修正リストに追加し、第１の無線ベアラ解放リストと第１の無線ベアラ確立および修正リストとを含む第１のメッセージを生成するように特に構成される。
【００４０】
任意選択で、生成ユニット１２は、構成タイプがユーザ機器に対応する全ての確立された無線ベアラを第１のタイプの無線ベアラとして再確立することであると決定ユニット１１が決定したときに、進化型パケットシステムベアラの識別情報と、第１の無線ベアラ解放リストと、第１の無線ベアラ確立および修正リストとを取得し、進化型パケットシステムベアラの識別情報を第１の無線ベアラ解放リストと第１の無線ベアラ確立および修正リストとに追加し、第１の無線ベアラ解放リストと第１の無線ベアラ確立および修正リストとを含む第１のメッセージを生成するように特に構成される。
【００４１】
任意選択で、生成ユニット１２は、構成タイプがユーザ機器に対応する全ての確立された無線ベアラを第１のタイプの無線ベアラとして再確立することであると決定ユニット１１が決定したときに、無線ベアラの識別情報と、マスタセルグループ解放識別と、第１の無線ベアラ確立および修正リストとを取得し、無線ベアラの識別情報を第１の無線ベアラ確立および修正リストに追加し、マスタセルグループ解放識別と第１の無線ベアラ確立および修正リストとを含む第１のメッセージを生成するように特に構成される。
【００４２】
任意選択で、生成ユニット１２は、構成タイプがユーザ機器に対応する全ての確立された無線ベアラを第１のタイプの無線ベアラとして再確立することであると決定ユニット１１が決定したときに、進化型パケットシステムベアラの識別情報と、マスタセルグループ解放識別と、第１の無線ベアラ確立および修正リストとを取得し、進化型パケットシステムベアラの識別情報を第１の無線ベアラ確立および修正リストに追加し、マスタセルグループ解放識別と第１の無線ベアラ確立および修正リストとを含む第１のメッセージを生成するように特に構成される。
【００４３】
任意選択で、生成ユニット１２は、構成タイプがユーザ機器に対応する全ての確立された無線ベアラを第２のタイプの無線ベアラとして再確立することであると決定ユニット１１が決定したときに、第２の再確立識別を含む第１のメッセージを生成するように特に構成される。
【００４４】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報、および第２のタイプの無線ベアラ再確立リストを取得し、識別情報を第２のタイプの無線ベアラ再確立リストに追加し、第２のタイプの無線ベアラ再確立リストを含む第１のメッセージを生成するように特に構成される。
【００４５】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報と、第１の無線ベアラ解放リストと、第２の無線ベアラ確立および修正リストとを取得し、識別情報を第１の無線ベアラ解放リストと第２の無線ベアラ確立および修正リストとに追加し、第１の無線ベアラ解放リストと第２の無線ベアラ確立および修正リストとを含む第１のメッセージを生成するように特に構成される。
【００４６】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報と、第２の無線ベアラ解放リストと、第２の無線ベアラ確立および修正リストとを取得し、識別情報を第２の無線ベアラ解放リストと第２の無線ベアラ確立および修正リストとに追加し、第２の無線ベアラ解放リストと第２の無線ベアラ確立および修正リストとを含む第１のメッセージを生成するように特に構成される。
【００４７】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報と、無線ベアラの識別情報に対応する進化型パケットシステムベアラの識別情報と、第１の無線ベアラ解放リストと、第２の無線ベアラ確立および修正リストとを取得し、無線ベアラの識別情報を第１の無線ベアラ解放リストに追加し、進化型パケットシステムベアラの識別情報を第２の無線ベアラ確立および修正リストに追加し、第１の無線ベアラ解放リストと第２の無線ベアラ確立および修正リストとを含む第１のメッセージを生成するように特に構成される。
【００４８】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報と、無線ベアラの識別情報に対応する進化型パケットシステムベアラの識別情報と、第２の無線ベアラ解放リストと、第２の無線ベアラ確立および修正リストとを取得し、無線ベアラの識別情報を第２の無線ベアラ解放リストに追加し、進化型パケットシステムベアラの識別情報を第２の無線ベアラ確立および修正リストに追加し、第２の無線ベアラ解放リストと第２の無線ベアラ確立および修正リストとを含む第１のメッセージを生成するように特に構成される。
【００４９】
任意選択で、生成ユニット１２は、構成タイプがユーザ機器に対応する全ての確立された無線ベアラを第２のタイプの無線ベアラとして再確立することであると決定ユニット１１が決定したときに、進化型パケットシステムベアラの識別情報と、第１の無線ベアラ解放リストと、第２の無線ベアラ確立および修正リストとを取得し、進化型パケットシステムベアラの識別情報を第１の無線ベアラ解放リストと第２の無線ベアラ確立および修正リストとに追加し、第１の無線ベアラ解放リストと第２の無線ベアラ確立および修正リストとを含む第１のメッセージを生成するように特に構成される。
【００５０】
任意選択で、生成ユニット１２は、構成タイプがユーザ機器に対応する全ての確立された無線ベアラを第２のタイプの無線ベアラとして再確立することであると決定ユニット１１が決定したときに、進化型パケットシステムベアラの識別情報と、第２の無線ベアラ解放リストと、第２の無線ベアラ確立および修正リストとを取得し、進化型パケットシステムベアラの識別情報を第２の無線ベアラ解放リストと第２の無線ベアラ確立および修正リストとに追加し、第２の無線ベアラ解放リストと第２の無線ベアラ確立および修正リストとを含む第１のメッセージを生成するように特に構成される。
【００５１】
任意選択で、生成ユニット１２は、構成タイプがユーザ機器に対応する全ての確立された無線ベアラを第２のタイプの無線ベアラとして再確立することであると決定ユニット１１が決定したときに、無線ベアラの識別情報と、２次セルグループ解放識別と、第２の無線ベアラ確立および修正リストとを取得し、無線ベアラの識別情報を第２の無線ベアラ確立および修正リストに追加し、２次セルグループ解放識別と第２の無線ベアラ確立および修正リストとを含む第１のメッセージを生成するように特に構成される。
【００５２】
任意選択で、生成ユニット１２は、構成タイプがユーザ機器に対応する全ての確立された無線ベアラを第２のタイプの無線ベアラとして再確立することであると決定ユニット１１が決定したときに、進化型パケットシステムベアラの識別情報と、２次セルグループ解放識別と、第２の無線ベアラ確立および修正リストとを取得し、進化型パケットシステムベアラの識別情報を第２の無線ベアラ確立および修正リストに追加し、２次セルグループ解放識別と第２の無線ベアラ確立および修正リストとを含む第１のメッセージを生成するように特に構成される。
【００５３】
任意選択で、生成ユニット１２は、構成タイプがユーザ機器に対応する全ての確立された無線ベアラを第３のタイプの無線ベアラとして再確立することであると決定ユニット１１が決定したときに、第３の再確立識別を含む第１のメッセージを生成するように特に構成される。
【００５４】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの識別情報、および第３のタイプの無線ベアラ再確立リストを取得し、識別情報を第３のタイプの無線ベアラ再確立リストに追加し、第３のタイプの無線ベアラ再確立リストを含む第１のメッセージを生成するように特に構成される。
【００５５】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの識別情報と、第１の無線ベアラ解放リストと、第１の無線ベアラ確立および修正リストと、第２の無線ベアラ確立および修正リストとを取得し、無線ベアラの識別情報を第１の無線ベアラ解放リストと、第１の無線ベアラ確立および修正リストと、第２の無線ベアラ確立および修正リストとに追加し、第１の無線ベアラ解放リストと、第１の無線ベアラ確立および修正リストと、第２の無線ベアラ確立および修正リストとを含む第１のメッセージを生成するように特に構成される。
【００５６】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの識別情報と、第１の無線ベアラ解放リストと、第２の無線ベアラ解放リストと、第１の無線ベアラ確立および修正リストと、第２の無線ベアラ確立および修正リストとを取得し、無線ベアラの識別情報を第１の無線ベアラ解放リストと、第２の無線ベアラ解放リストと、第１の無線ベアラ確立および修正リストと第２の無線ベアラ確立および修正リストとに追加し、第１の無線ベアラ解放リストと、第２の無線ベアラ解放リストと、第１の無線ベアラ確立および修正リストと第２の無線ベアラ確立および修正リストとを含む第１のメッセージを生成するように特に構成される。
【００５７】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの第１の識別情報と、無線ベアラの第２の識別情報と、無線ベアラの第１の識別情報に対応する進化型パケットシステムベアラの識別情報と、第１の無線ベアラ解放リストと、第１の無線ベアラ確立および修正リストと、第２の無線ベアラ確立および修正リストとを取得し、無線ベアラの第１の識別情報を第１の無線ベアラ解放リストに追加し、無線ベアラの第２の識別情報および進化型パケットシステムベアラの識別情報を第１の無線ベアラ確立および修正リストに追加し、無線ベアラの第２の識別情報を第２の無線ベアラ確立および修正リストに追加し、第１の無線ベアラ解放リストと、第１の無線ベアラ確立および修正リストと、第２の無線ベアラ確立および修正リストとを含む第１のメッセージを生成するように特に構成される。
【００５８】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの第１の識別情報と、無線ベアラの第２の識別情報と、無線ベアラの第１の識別情報に対応する進化型パケットシステムベアラの識別情報と、第１の無線ベアラ解放リストと、第２の無線ベアラ解放リストと、第１の無線ベアラ確立および修正リストと、第２の無線ベアラ確立および修正リストとを取得し、無線ベアラの第１の識別情報を第１の無線ベアラ解放リストおよび第２の無線ベアラ解放リストに追加し、無線ベアラの第２の識別情報および進化型パケットシステムベアラの識別情報を第１の無線ベアラ確立および修正リストに追加し、無線ベアラの第２の識別情報を第２の無線ベアラ確立および修正リストに追加し、第１の無線ベアラ解放リストと、第２の無線ベアラ解放リストと、第１の無線ベアラ確立および修正リストと、第２の無線ベアラ確立および修正リストとを含む第１のメッセージを生成するように特に構成される。
【００５９】
任意選択で、生成ユニット１２は、構成タイプがユーザ機器に対応する全ての確立された無線ベアラを第３のタイプの無線ベアラとして再確立することであると決定ユニット１１が決定したときに、進化型パケットシステムベアラの識別情報と、進化型パケットシステムベアラに対応する無線ベアラの識別情報と、第１の無線ベアラ解放リストと、第１の無線ベアラ確立および修正リストと、第２の無線ベアラ確立および修正リストとを取得し、進化型パケットシステムベアラの識別情報を第１の無線ベアラ解放リストに追加し、進化型パケットシステムベアラの識別情報および無線ベアラの識別情報を第１の無線ベアラ確立および修正リストに追加し、無線ベアラの識別情報を第２の無線ベアラ確立および修正リストに追加し、第１の無線ベアラ解放リストと、第１の無線ベアラ確立および修正リストと、第２の無線ベアラ確立および修正リストとを含む第１のメッセージを生成するように特に構成される。
【００６０】
任意選択で、生成ユニット１２は、構成タイプがユーザ機器に対応する全ての確立された無線ベアラを第３のタイプの無線ベアラとして再確立することであると決定ユニット１１が決定したときに、進化型パケットシステムベアラの識別情報と、進化型パケットシステムベアラに対応する無線ベアラの識別情報と、第１の無線ベアラ解放リストと、第２の無線ベアラ解放リストと、第１の無線ベアラ確立および修正リストと、第２の無線ベアラ確立および修正リストとを取得し、進化型パケットシステムベアラの識別情報を第１の無線ベアラ解放リストおよび第２の無線ベアラ解放リストに追加し、進化型パケットシステムベアラの識別情報および無線ベアラの識別情報を第１の無線ベアラ確立および修正リストに追加し、無線ベアラの識別情報を第２の無線ベアラ確立および修正リストに追加し、第１の無線ベアラ解放リストと、第２の無線ベアラ解放リストと、第１の無線ベアラ確立および修正リストと、第２の無線ベアラ確立および修正リストとを含む第１のメッセージを生成するように特に構成される。
【００６１】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの識別情報と、マスタセルグループ解放識別と、第１の無線ベアラ確立および修正リストと、第２の無線ベアラ確立および修正リストとを取得し、無線ベアラの識別情報を第１の無線ベアラ確立および修正リストと第２の無線ベアラ確立および修正リストとに追加し、マスタセルグループ解放識別と、第１の無線ベアラ確立および修正リストと、第２の無線ベアラ確立および修正リストとを含む第１のメッセージを生成するように特に構成される。
【００６２】
任意選択で、生成ユニット１２は、構成タイプがユーザ機器に対応する全ての確立された無線ベアラを第３のタイプの無線ベアラとして再確立することであると決定ユニット１１が決定したときに、無線ベアラの識別情報と、２次セルグループ解放識別と、第１の無線ベアラ確立および修正リストと、第２の無線ベアラ確立および修正リストとを取得し、無線ベアラの識別情報を第１の無線ベアラ確立および修正リストと第２の無線ベアラ確立および修正リストとに追加し、２次セルグループ解放識別と、第１の無線ベアラ確立および修正リストと、第２の無線ベアラ確立および修正リストとを含む第１のメッセージを生成するように特に構成される。
【００６３】
任意選択で、生成ユニット１２は、構成タイプがユーザ機器に対応する全ての確立された無線ベアラを第３のタイプの無線ベアラとして再確立することであると決定ユニット１１が決定したときに、進化型パケットシステムベアラの識別情報と、進化型パケットシステムベアラの識別情報に対応する無線ベアラの識別情報と、マスタセルグループ解放識別と、第１の無線ベアラ確立および修正リストと、第２の無線ベアラ確立および修正リストとを取得し、進化型パケットシステムベアラの識別情報および無線ベアラの識別情報を第１の無線ベアラ確立および修正リストに追加し、無線ベアラの識別情報を第２の無線ベアラ確立および修正リストに追加し、マスタセルグループ解放識別と、第１の無線ベアラ確立および修正リストと、第２の無線ベアラ確立および修正リストとを含む第１のメッセージを生成するように特に構成される。
【００６４】
任意選択で、生成ユニット１２は、構成タイプがユーザ機器に対応する全ての確立された無線ベアラを第３のタイプの無線ベアラとして再確立することであると決定ユニット１１が決定したときに、進化型パケットシステムベアラの識別情報と、進化型パケットシステムベアラの識別情報に対応する無線ベアラの識別情報と、２次セルグループ解放識別と、第１の無線ベアラ確立および修正リストと、第２の無線ベアラ確立および修正リストとを取得し、進化型パケットシステムベアラの識別情報および無線ベアラの識別情報を第１の無線ベアラ確立および修正リストに追加し、無線ベアラの識別情報を第２の無線ベアラ確立および修正リストに追加し、２次セルグループ解放識別と、第１の無線ベアラ確立および修正リストと、第２の無線ベアラ確立および修正リストとを含む第１のメッセージを生成するように特に構成される。
【００６５】
任意選択で、生成ユニット１２は、構成タイプが２次セルグループに対応するＭＡＣエンティティを確立もしくは再構成することであると決定ユニット１１が決定したときに、２次セルグループの識別と、２次セルグループ確立および修正リストとを取得し、２次セルグループの識別を２次セルグループ確立および修正リストに追加し、２次セルグループ確立および修正リストを含む第１のメッセージを生成するように特に構成される。
【００６６】
任意選択で、生成ユニット１２は、構成タイプが２次セルグループに対応するＭＡＣエンティティを確立もしくは再構成することであると決定ユニット１１が決定したときに、２次セルグループ確立および修正識別を取得し、２次セルグループ確立および修正識別を含む第１のメッセージを生成するように特に構成される。
【００６７】
任意選択で、生成ユニット１２は、構成タイプが２次セルグループに対応するＭＡＣエンティティを確立もしくは再構成することであると決定ユニット１１が決定したときに、２次ＭＡＣ構成識別を取得し、２次ＭＡＣ構成識別を含む第１のメッセージを生成するように特に構成される。
【００６８】
任意選択で、生成ユニット１２は、構成タイプが２次セルグループに対応するＭＡＣエンティティを解放することであると決定ユニット１１が決定したときに、２次セルグループの識別および２次セルグループ解放リストを取得し、２次セルグループの識別を２次セルグループ解放リストに追加し、２次セルグループ解放リストを含む第１のメッセージを生成するように特に構成される。
【００６９】
任意選択で、生成ユニット１２は、構成タイプが２次セルグループに対応するＭＡＣエンティティを解放することであると決定ユニット１１が決定したときに、２次セルグループ解放識別を取得し、２次セルグループ解放識別を含む第１のメッセージを生成するように特に構成される。
【００７０】
任意選択で、生成ユニット１２は、構成タイプが２次セルグループに対応するＭＡＣエンティティを解放することであると決定ユニット１１が決定したときに、２次ＭＡＣ解放識別を取得し、２次ＭＡＣ解放識別を含む第１のメッセージを生成するように特に構成される。
【００７１】
任意選択で、生成ユニット１２は、構成タイプが２次セルグループに対応するＭＡＣエンティティをリセットすることであると決定ユニット１１が決定したときに、２次セルグループの識別と、２次セルグループ確立および修正リストと、２次セルグループ解放リストとを取得し、２次セルグループの識別を２次セルグループ確立および修正リストと２次セルグループ解放リストとに追加し、２次セルグループ確立および修正リストと２次セルグループ解放リストとを含む第１のメッセージを生成するように特に構成される。
【００７２】
任意選択で、生成ユニット１２は、構成タイプが２次セルグループに対応するＭＡＣエンティティをリセットすることであると決定ユニット１１が決定したときに、２次セルグループ確立および修正識別と、２次セルグループ解放識別とを取得し、２次セルグループ確立および修正識別と２次セルグループ解放識別とを含む第１のメッセージを生成するように特に構成される。
【００７３】
任意選択で、生成ユニット１２は、構成タイプが２次セルグループに対応するＭＡＣエンティティをリセットすることであると決定ユニット１１が決定したときに、２次ＭＡＣ構成識別および２次セルグループ解放識別を取得し、２次ＭＡＣ構成識別および２次セルグループ解放識別を含む第１のメッセージを生成するように特に構成される。
【００７４】
任意選択で、生成ユニット１２は、構成タイプが２次セルグループに対応するＭＡＣエンティティをリセットすることであると決定ユニット１１が決定したときに、２次ＭＡＣ構成識別および２次ＭＡＣ解放識別を取得し、２次ＭＡＣ構成識別および２次ＭＡＣ解放識別を含む第１のメッセージを生成するように特に構成される。
【００７５】
任意選択で、生成ユニット１２は、構成タイプが２次セルグループに対応するＭＡＣエンティティをリセットすることであると決定ユニット１１が決定したときに、２次セルグループリセット識別を取得し、２次セルグループリセット識別を含む第１のメッセージを生成するように特に構成される。
【００７６】
任意選択で、生成ユニット１２は、構成タイプが２次セルグループに対応するＭＡＣエンティティをリセットすることであると決定ユニット１１が決定したときに、２次ＭＡＣリセット識別を取得し、２次ＭＡＣリセット識別を含む第１のメッセージを生成するように特に構成される。
【００７７】
前述のネットワークデバイスを使用することにより、ネットワークデバイスは、構成タイプを決定し、構成タイプに従って第１のメッセージを生成し、第１のメッセージをユーザ機器に送信する。このようにして、ユーザ機器は、基地局から送信される第１のメッセージに従って、様々なタイプの無線ベアラを正しく構成し、ＭＡＣエンティティを正しく構成することができる。
【００７８】
本発明の実施形態は、ユーザ機器２０を提供する。図２に示すように、ユーザ機器２０は、以下を備える。
【００７９】
ネットワークデバイスから送信される第１のメッセージを受信するように構成された受信ユニット２１。
【００８０】
第１のメッセージは、無線ベアラを、または２次セルグループに対応する媒体アクセス制御ＭＡＣエンティティを構成するようにユーザ機器に命令するために使用される。
【００８１】
第１のメッセージに従って構成タイプを決定するように構成された決定ユニット２２。
【００８２】
構成タイプは、ユーザ機器が無線ベアラ上または２次セルグループに対応する媒体アクセス制御ＭＡＣエンティティ上で実行する必要がある動作を指す。
【００８３】
第１のタイプの無線ベアラ、第２のタイプの無線ベアラ、第３のタイプの無線ベアラを構成タイプに従って構成する、または２次セルグループに対応する媒体アクセス制御ＭＡＣエンティティを構成タイプに従って構成するように構成された構成ユニット２３。
【００８４】
ネットワークデバイスは、基地局とすることが可能であり、基地局は、マスタ基地局とすることが可能であり、第１のメッセージは、無線リソース制御メッセージとすることが可能である。
【００８５】
決定ユニットおよび構成ユニットの機能は、ネットワークデバイスのプロセッサを使用することによって実施され得ること、受信ユニットの機能は、ネットワークデバイスのトランシーバを使用することによって実施され得ること、プロセッサとトランシーバの間の接続関係については、図６に示すユーザ機器を参照されたいこと、および図６の通信インタフェースがトランシーバを備えることに留意されたい。
【００８６】
具体的には、ユーザ機器に対応するマスタ基地局および２次基地局と通信するために別個に使用される、３つのタイプの無線ベアラがある。第１のタイプの無線ベアラは、マスタセルグループ無線ベアラとすることが可能であり、第２のタイプの無線ベアラは、２次セルグループ無線ベアラとすることが可能であり、第３のタイプの無線ベアラは、オフロード無線ベアラとすることが可能である。ユーザ機器は、マスタセルグループ無線ベアラを使用することによってマスタ基地局と通信し、２次セルグループ無線ベアラを使用することによって２次基地局と通信し、オフロード無線ベアラを使用することによってマスタ基地局および２次基地局と同時に通信する。現在の構成は、ユーザ機器に保存され、ここで、現在の構成は、無線ベアラを構成するために使用される。
【００８７】
マスタセルグループ無線ベアラは、１つのＰＤＣＰ（Ｐａｃｋｅｔ  Ｄａｔａ  Ｃｏｎｖｅｒｇｅｎｃｅ  Ｐｒｏｔｏｃｏｌ、パケットデータ収束プロトコル）エンティティ、１つのＲＬＣ（Ｒａｄｉｏ  Ｌｉｎｋ  Ｃｏｎｔｒｏｌ、無線リンク制御）エンティティ、および１つのＬＣＨ（Ｌｏｇｉｃａｌ  Ｃｈａｎｎｅｌ、論理チャネル）を含み、２次セルグループ無線ベアラは、１つのＰＤＣＰエンティティ、１つのＲＬＣエンティティ、および１つのＬＣＨを含み、オフロード無線ベアラは、１つのＰＤＣＰエンティティ、２つのＲＬＣエンティティ、および２つのＬＣＨを含み、ここで、ＬＣＨは、ＭＡＣ（Ｍｅｄｉｕｍ  Ａｃｃｅｓｓ  Ｃｏｎｔｒｏｌ、媒体アクセス制御）エンティティである。
【００８８】
任意選択で、決定ユニット２２は、受信ユニット２１によって受信された第１のメッセージが第１の無線ベアラ確立および修正リストを含み、第１の無線ベアラ確立および修正リストが無線ベアラの識別情報を含み、無線ベアラの識別情報がユーザ機器の現在の構成にない場合に、構成タイプが第１のタイプの無線ベアラを確立することであると決定するように特に構成される。
【００８９】
任意選択で、決定ユニット２２は、受信ユニット２１によって受信された第１のメッセージが第２の無線ベアラ確立および修正リストを含み、第２の無線ベアラ確立および修正リストが無線ベアラの識別情報を含み、無線ベアラの識別情報がユーザ機器の現在の構成にない場合に、構成タイプが第２のタイプの無線ベアラを確立することであると決定するように特に構成される。
【００９０】
任意選択で、決定ユニット２２は、受信ユニット２１によって受信された第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にない場合に、構成タイプが第３のタイプの無線ベアラを確立することであると決定するように特に構成される。
【００９１】
任意選択で、決定ユニット２２は、受信ユニット２１によって受信された第１のメッセージが第１の無線ベアラ確立および修正リストを含み、第１の無線ベアラ確立および修正リストが無線ベアラの識別情報を含み、無線ベアラの識別情報がユーザ機器の現在の構成にある場合に、構成タイプが無線ベアラを再構成することであると決定するように特に構成される。
【００９２】
任意選択で、決定ユニット２２は、受信ユニット２１によって受信された第１のメッセージが第２の無線ベアラ確立および修正リストを含み、第２の無線ベアラ確立および修正リストが無線ベアラの識別情報を含み、無線ベアラの識別情報がユーザ機器の現在の構成にある場合に、構成タイプが無線ベアラを再構成することであると決定するように特に構成される。
【００９３】
任意選択で、決定ユニット２２は、受信ユニット２１によって受信された第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にある場合に、構成タイプが無線ベアラを再構成することであると決定するように特に構成される。
【００９４】
任意選択で、決定ユニット２２は、受信ユニット２１によって受信された第１のメッセージが第１の無線ベアラ解放リストを含み、第１の無線ベアラ解放リストが無線ベアラの識別情報を含み、無線ベアラの識別情報がユーザ機器の現在の構成にある場合に、構成タイプが無線ベアラを解放することであると決定するように特に構成される。
【００９５】
任意選択で、決定ユニット２２は、受信ユニット２１によって受信された第１のメッセージが第２の無線ベアラ解放リストを含み、第２の無線ベアラ解放リストが無線ベアラの識別情報を含み、無線ベアラの識別情報がユーザ機器の現在の構成にある場合に、構成タイプが無線ベアラを解放することであると決定するように特に構成される。
【００９６】
任意選択で、決定ユニット２２は、受信ユニット２１によって受信された第１のメッセージが第１の無線ベアラ解放リストおよび第２の無線ベアラ解放リストを含み、第１の無線ベアラ解放リストおよび第２の無線ベアラ解放リストが両方とも無線ベアラの識別情報を含み、無線ベアラの識別情報がユーザ機器の現在の構成にある場合に、構成タイプが無線ベアラを解放することであると決定するように特に構成される。
【００９７】
任意選択で、決定ユニット２２は、受信ユニット２１によって受信された第１のメッセージが第１の再確立識別を含む場合に、構成タイプがユーザ機器に対応する全ての確立された無線ベアラを第１のタイプの無線ベアラとして再確立することであると決定するように特に構成される。
【００９８】
任意選択で、決定ユニット２２は、受信ユニット２１によって受信された第１のメッセージが第２の再確立識別を含む場合に、ユーザ機器に対応する全ての確立された無線ベアラを第２のタイプの無線ベアラとして再確立することであると決定するように特に構成される。
【００９９】
任意選択で、決定ユニット２２は、受信ユニット２１によって受信された第１のメッセージが第３の再確立識別を含む場合に、ユーザ機器に対応する全ての確立された無線ベアラを第３のタイプの無線ベアラとして再確立することであると決定するように特に構成される。
【０１００】
任意選択で、決定ユニット２２は、受信ユニット２１によって受信された第１のメッセージが第１のタイプの無線ベアラ再確立リストを含み、第１のタイプの無線ベアラ再確立リストが無線ベアラの識別情報を含み、無線ベアラの識別情報がユーザ機器の現在の構成にある場合に、構成タイプが無線ベアラを第１のタイプの無線ベアラとして再確立することであると決定するように特に構成される。
【０１０１】
任意選択で、決定ユニット２２は、受信ユニット２１によって受信された第１のメッセージが第２のタイプの無線ベアラ再確立リストを含み、第２のタイプの無線ベアラ再確立リストが無線ベアラの識別情報を含み、無線ベアラの識別情報がユーザ機器の現在の構成にある場合に、構成タイプが無線ベアラを第２のタイプの無線ベアラとして再確立することであると決定するように特に構成される。
【０１０２】
任意選択で、決定ユニット２２は、受信ユニット２１によって受信された第１のメッセージが第３のタイプの無線ベアラ再確立リストを含み、第３のタイプの無線ベアラ再確立リストが無線ベアラの識別情報を含み、無線ベアラの識別情報がユーザ機器の現在の構成にある場合に、構成タイプが無線ベアラを第３のタイプの無線ベアラとして再確立することであると決定するように特に構成される。
【０１０３】
任意選択で、決定ユニット２２は、受信ユニット２１によって受信された第１のメッセージが第１の無線ベアラ解放リストと第１の無線ベアラ確立および修正リストとを含み、第１の無線ベアラ解放リストと第１の無線ベアラ確立および修正リストとが両方とも無線ベアラの識別情報を含み、無線ベアラの識別情報がユーザ機器の現在の構成にある場合に、構成タイプが無線ベアラを第１のタイプの無線ベアラとして再確立することであると決定するように特に構成される。
【０１０４】
任意選択で、決定ユニット２２は、受信ユニット２１によって受信された第１のメッセージが第１の無線ベアラ解放リストと第２の無線ベアラ確立および修正リストとを含み、第１の無線ベアラ解放リストと第２の無線ベアラ確立および修正リストとが両方とも無線ベアラの識別情報を含み、無線ベアラの識別情報がユーザ機器の現在の構成にある場合に、構成タイプが無線ベアラを第２のタイプの無線ベアラとして再確立することであると決定するように特に構成される。
【０１０５】
任意選択で、決定ユニット２２は、受信ユニット２１によって受信された第１のメッセージが第２の無線ベアラ解放リストと第２の無線ベアラ確立および修正リストとを含み、第２の無線ベアラ解放リストと第２の無線ベアラ確立および修正リストとが両方とも無線ベアラの識別情報を含み、無線ベアラの識別情報がユーザ機器の現在の構成にある場合に、構成タイプが無線ベアラを第２のタイプの無線ベアラとして再確立することであると決定するように特に構成される。
【０１０６】
任意選択で、決定ユニット２２は、受信ユニット２１によって受信された第１のメッセージが第１の無線ベアラ解放リストと、第１の無線ベアラ確立および修正リストと、第２の無線ベアラ確立および修正リストとを含み、第１の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合に、構成タイプが無線ベアラを第３のタイプの無線ベアラとして再確立することであると決定するように特に構成される。
【０１０７】
任意選択で、決定ユニット２２は、受信ユニット２１によって受信された第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストと、第２の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合に、構成タイプが無線ベアラを第３のタイプの無線ベアラとして再確立することであると決定するように特に構成される。
【０１０８】
任意選択で、決定ユニット２２は、受信ユニット２１によって受信された第１のメッセージが第１の無線ベアラ解放リストと第１の無線ベアラ確立および修正リストとを含み、第１の無線ベアラ解放リストが無線ベアラの識別情報を含み、第１の無線ベアラ確立および修正リストが無線ベアラの識別情報に対応する進化型パケットシステムベアラの識別情報を含み、無線ベアラの識別情報がユーザ機器の現在の構成にある場合に、構成タイプが無線ベアラを第１のタイプの無線ベアラとして再確立することであると決定するように特に構成される。
【０１０９】
任意選択で、決定ユニット２２は、受信ユニット２１によって受信された第１のメッセージが第１の無線ベアラ解放リストと第２の無線ベアラ確立および修正リストとを含み、第１の無線ベアラ解放リストが無線ベアラの識別情報を含み、第２の無線ベアラ確立および修正リストが無線ベアラの識別情報に対応する進化型パケットシステムベアラの識別情報を含み、無線ベアラの識別情報がユーザ機器の現在の構成にある場合に、構成タイプが無線ベアラを第２のタイプの無線ベアラとして再確立することであると決定するように特に構成される。
【０１１０】
任意選択で、決定ユニット２２は、受信ユニット２１によって受信された第１のメッセージが、第２の無線ベアラ解放リストと、第２の無線ベアラ確立および修正リストとを含み、第２の無線ベアラ解放リストが、無線ベアラの識別情報を含み、第２の無線ベアラ確立および修正リストが、無線ベアラの識別情報に対応する進化型パケットシステムベアラの識別情報を含み、無線ベアラの識別情報が、ユーザ機器の現在の構成にある場合に、構成タイプが、無線ベアラを第２のタイプの無線ベアラとして再確立することであると決定するように特に構成される。
【０１１１】
任意選択で、決定ユニット２２は、受信ユニット２１によって受信された第１のメッセージが、第１の無線ベアラ解放リストと、第１の無線ベアラ確立および修正リストと、第２の無線ベアラ確立および修正リストとを含み、第１の無線ベアラ解放リストが、無線ベアラの第１の識別情報を含み、第１の無線ベアラ確立および修正リストが、無線ベアラの第１の識別情報に対応する進化型パケットシステムベアラの識別情報を含み、かつ無線ベアラの第２の識別情報を含み、第２の無線ベアラ確立および修正リストが、無線ベアラの第２の識別情報を含み、無線ベアラの第１の識別情報が、ユーザ機器の現在の構成にある場合に、構成タイプが、無線ベアラを第３のタイプの無線ベアラとして再確立することであると決定するように特に構成される。
【０１１２】
任意選択で、決定ユニット２２は、受信ユニット２１によって受信された第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも無線ベアラの第１の識別情報を含み、第１の無線ベアラ確立および修正リストが無線ベアラの第１の識別情報に対応する進化型パケットシステムベアラの識別情報を含み、かつ無線ベアラの第２の識別情報を含み、第２の無線ベアラ確立および修正リストが無線ベアラの第２の識別情報を含み、無線ベアラの第１の識別情報がユーザ機器の現在の構成にある場合に、構成タイプが無線ベアラを第３のタイプの無線ベアラとして再確立することであると決定するように特に構成される。
【０１１３】
任意選択で、決定ユニット２２は、受信ユニット２１によって受信された第１のメッセージが第１の無線ベアラ解放リストと第１の無線ベアラ確立および修正リストとを含み、第１の無線ベアラ解放リストが進化型パケットシステムベアラの識別情報を含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定するように特に構成される。
【０１１４】
任意選択で、決定ユニット２２は、受信ユニット２１によって受信された第１のメッセージが第１の無線ベアラ解放リストと第２の無線ベアラ確立および修正リストとを含み、第１の無線ベアラ解放リストが進化型パケットシステムベアラの識別情報を含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定するように特に構成される。
【０１１５】
任意選択で、決定ユニット２２は、受信ユニット２１によって受信された第１のメッセージが、第２の無線ベアラ解放リストと、第２の無線ベアラ確立および修正リストとを含み、第２の無線ベアラ解放リストが、進化型パケットシステムベアラの識別情報を含み、第２の無線ベアラ確立および修正リストが、進化型パケットシステムベアラの識別情報を含み、進化型パケットシステムベアラの識別情報が、ユーザ機器の現在の構成にある場合に、構成タイプが、進化型パケットシステムベアラに対応する無線ベアラを第２のタイプの無線ベアラとして再確立することであると決定するように特に構成される。
【０１１６】
任意選択で、決定ユニット２２は、受信ユニット２１によって受信された第１のメッセージが、第１の無線ベアラ解放リストと、第１の無線ベアラ確立および修正リストと、第２の無線ベアラ確立および修正リストとを含み、第１の無線ベアラ解放リストが、進化型パケットシステムベアラの識別情報を含み、第１の無線ベアラ確立および修正リストが、進化型パケットシステムベアラの識別情報を含み、かつ進化型パケットシステムベアラに対応する無線ベアラの識別情報を含み、第２の無線ベアラ確立および修正リストが、無線ベアラの識別情報を含み、進化型パケットシステムベアラの識別情報が、ユーザ機器の現在の構成にある場合に、構成タイプが、進化型パケットシステムベアラに対応する無線ベアラを第３のタイプの無線ベアラとして再確立することであると決定するように特に構成される。
【０１１７】
任意選択で、決定ユニット２２は、受信ユニット２１によって受信された第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも進化型パケットシステムベアラの識別情報を含み、第１の無線ベアラ確立および修正リストが進化型パケットシステムベアラの識別情報を含み、かつ進化型パケットシステムベアラに対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定するように特に構成される。
【０１１８】
任意選択で、決定ユニット２２は、受信ユニット２１によって受信された第１のメッセージがマスタセルグループ解放識別と第１の無線ベアラ確立および修正リストとを含み、第１の無線ベアラ確立および修正リストが無線ベアラの識別情報を含み、無線ベアラの識別情報がユーザ機器の現在の構成にある場合に、構成タイプが無線ベアラを第１のタイプの無線ベアラとして再確立することであると決定するように特に構成される。
【０１１９】
任意選択で、決定ユニット２２は、受信ユニット２１によって受信された第１のメッセージが２次セルグループ解放識別と第２の無線ベアラ確立および修正リストとを含み、第２の無線ベアラ確立および修正リストが無線ベアラの識別情報を含み、無線ベアラの識別情報がユーザ機器の現在の構成にある場合に、構成タイプが無線ベアラを第２のタイプの無線ベアラとして再確立することであると決定するように特に構成される。
【０１２０】
任意選択で、決定ユニット２２は、受信ユニット２１によって受信された第１のメッセージがマスタセルグループ解放識別と、第１の無線ベアラ確立および修正リストと、第２の無線ベアラ確立および修正リストとを含み、第１の無線ベアラ確立および修正リストと第２の無線ベアラ確立および修正リストとが両方とも無線ベアラの識別情報を含み、無線ベアラの識別情報がユーザ機器の現在の構成にある場合に、構成タイプが無線ベアラを第３のタイプの無線ベアラとして再確立することであると決定するように特に構成される。
【０１２１】
任意選択で、決定ユニット２２は、受信ユニット２１によって受信された第１のメッセージが２次セルグループ解放識別と、第１の無線ベアラ確立および修正リストと、第２の無線ベアラ確立および修正リストとを含み、第１の無線ベアラ解放リストと第２の無線ベアラ確立および修正リストとが両方とも無線ベアラの識別情報を含み、無線ベアラの識別情報がユーザ機器の現在の構成にある場合に、構成タイプが無線ベアラを第３のタイプの無線ベアラとして再確立することであると決定するように特に構成される。
【０１２２】
任意選択で、決定ユニット２２は、受信ユニット２１によって受信された第１のメッセージがマスタセルグループ解放識別と第１の無線ベアラ確立および修正リストとを含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定するように特に構成される。
【０１２３】
任意選択で、決定ユニット２２は、受信ユニット２１によって受信された第１のメッセージが２次セルグループ解放識別と第２の無線ベアラ確立および修正リストとを含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムに対応する無線ベアラを第２のタイプの無線ベアラとして再確立することであると決定するように特に構成される。
【０１２４】
任意選択で、決定ユニット２２は、受信ユニット２１によって受信された第１のメッセージがマスタセルグループ解放識別と、第１の無線ベアラ確立および修正リストと、第２の無線ベアラ確立および修正リストとを含み、第１の無線ベアラ確立および修正リストが進化型パケットシステムベアラの識別情報を含み、かつ進化型パケットシステムベアラの識別情報に対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定するように特に構成される。
【０１２５】
任意選択で、決定ユニット２２は、受信ユニット２１によって受信された第１のメッセージが、２次セルグループ解放識別と、第１の無線ベアラ確立および修正リストと、第２の無線ベアラ確立および修正リストとを含み、第１の無線ベアラ確立および修正リストが、進化型パケットシステムベアラの識別情報を含み、かつ進化型パケットシステムベアラの識別情報に対応する無線ベアラの識別情報を含み、第２の無線ベアラ確立および修正リストが、無線ベアラの識別情報を含み、進化型パケットシステムベアラの識別情報が、ユーザ機器の現在の構成にある場合に、構成タイプが、進化型パケットシステムベアラに対応する無線ベアラを第３のタイプの無線ベアラとして再確立することであると決定するように特に構成される。
【０１２６】
任意選択で、決定ユニット２２は、受信ユニット２１によって受信された第１のメッセージが２次セルグループ確立および修正リストを含み、２次セルグループ確立および修正リストが２次セルグループの識別を含み、２次セルグループの識別がユーザ機器の現在の構成にない場合に、構成タイプが２次セルグループに対応するＭＡＣエンティティを確立することであると決定するように特に構成される。
【０１２７】
任意選択で、決定ユニット２２は、受信ユニット２１によって受信された第１のメッセージが２次セルグループ確立および修正リストを含み、２次セルグループ確立および修正リストが２次セルグループの識別を含み、２次セルグループの識別がユーザ機器の現在の構成にある場合に、構成タイプが２次セルグループに対応するＭＡＣエンティティを再構成することであると決定するように特に構成される。
【０１２８】
任意選択で、決定ユニット２２は、受信ユニット２１によって受信された第１のメッセージが２次セルグループ解放リストを含み、２次セルグループ解放リストが２次セルグループの識別を含み、２次セルグループの識別がユーザ機器の現在の構成にある場合に、構成タイプが２次セルグループに対応するＭＡＣエンティティを解放することであると決定するように特に構成される。
【０１２９】
任意選択で、決定ユニット２２は、受信ユニット２１によって受信された第１のメッセージが２次セルグループ確立および修正リストと２次セルグループ解放リストとを含み、２次セルグループ確立および修正リストと２次セルグループ解放リストとが両方とも２次セルグループの識別を含み、２次セルグループの識別がユーザ機器の現在の構成にある場合に、構成タイプが２次セルグループに対応するＭＡＣエンティティをリセットすることであると決定するように特に構成される。
【０１３０】
任意選択で、決定ユニット２２は、受信ユニット２１によって受信された第１のメッセージが２次セルグループ確立および修正識別もしくは２次ＭＡＣ構成識別を含み、２次セルグループに対応するＭＡＣエンティティが確立されていない場合に、構成タイプがＭＡＣエンティティを確立することであると決定するように特に構成される。
【０１３１】
任意選択で、決定ユニット２２は、受信ユニット２１によって受信された第１のメッセージが２次セルグループ確立および修正識別もしくは２次ＭＡＣ構成識別を含み、２次セルグループに対応するＭＡＣエンティティが既に確立されている場合に、構成タイプがＭＡＣエンティティを再構成することであると決定するように特に構成される。
【０１３２】
任意選択で、決定ユニット２２は、受信ユニット２１によって受信された第１のメッセージが２次セルグループ解放識別もしくは２次ＭＡＣ解放識別を含み、２次セルグループに対応するＭＡＣエンティティが既に確立されている場合に、構成タイプがＭＡＣエンティティを解放することであると決定するように特に構成される。
【０１３３】
任意選択で、決定ユニット２２は、受信ユニット２１によって受信された第１のメッセージが２次セルグループ確立および修正識別と２次セルグループ解放識別とを含み、２次セルグループに対応するＭＡＣエンティティが既に確立されている場合に、構成タイプがＭＡＣエンティティをリセットすることであると決定するように特に構成される。
【０１３４】
任意選択で、決定ユニット２２は、受信ユニット２１によって受信された第１のメッセージが２次ＭＡＣ構成識別および２次セルグループ解放識別を含み、２次セルグループに対応するＭＡＣエンティティが既に確立されている場合に、構成タイプがＭＡＣエンティティをリセットすることであると決定するように特に構成される。
【０１３５】
任意選択で、決定ユニット２２が、受信ユニット２１によって受信された第１のメッセージが２次ＭＡＣ構成識別および２次ＭＡＣ解放識別を含み、２次セルグループに対応するＭＡＣエンティティが既に確立されている場合に、構成タイプがＭＡＣエンティティをリセットすることであると決定するように特に構成される。
【０１３６】
任意選択で、決定ユニット２２は、受信ユニット２１によって受信された第１のメッセージが２次セルグループリセット識別もしくは２次ＭＡＣリセット識別を含み、２次セルグループに対応するＭＡＣエンティティが既に確立されている場合に、構成タイプがＭＡＣエンティティをリセットすることであると決定するように特に構成される。
【０１３７】
さらに、構成タイプを決定した後で、ユーザ機器は、構成タイプに従って無線ベアラを構成する、または構成タイプに従って２次セルグループに対応するＭＡＣエンティティを構成し、非アクセス層にメッセージを送信して無線ベアラの構成が完了したことを示して、ユーザ機器が対応する構成動作を完了したことをネットワークに通知する。
【０１３８】
具体的には、マスタセルグループ無線ベアラを確立すると決定したときに、構成ユニット２３は、ＰＤＣＰ−１を確立し、ＲＬＣ−１およびＬＣＨ−Ｍを確立し、無線ベアラが確立されたことを非アクセス層に示し、ここで、ＬＣＨ−Ｍは、マスタセルグループに対応するＭＡＣエンティティ中のＬＣＨである。
【０１３９】
２次セルグループ無線ベアラを確立すると決定したときに、構成ユニット２３は、ＰＤＣＰ−１を確立し、ＲＬＣ−１およびＬＣＨ−Ｓを確立し、無線ベアラが確立されたことを非アクセス層に示し、ここで、ＬＣＨ−Ｓは、２次セルグループに対応するＭＡＣエンティティ中のＬＣＨである。
【０１４０】
オフロード無線ベアラを確立すると決定したときに、構成ユニット２３は、ＰＤＣＰ−１を確立し、ＲＬＣ−１およびＲＬＣ−２を確立し、ＬＣＨ−ＭおよびＬＣＨ−Ｓを確立し、無線ベアラが確立されたことを非アクセス層に示す。
【０１４１】
任意選択で、マスタセルグループ無線ベアラを再構成すると決定したときに、構成ユニット２３は、ＰＤＣＰ−１、ＲＬＣ−１、またはＬＣＨ−Ｍを再構成する。
【０１４２】
任意選択で、２次セルグループ無線ベアラを再構成すると決定したときに、構成ユニット２３は、ＰＤＣＰ−１、ＲＬＣ−１、またはＬＣＨ−Ｓを再構成する。
【０１４３】
任意選択で、オフロード無線ベアラを再構成すると決定したときに、構成ユニット２３は、ＰＤＣＰ−１、ＲＬＣ−１、ＲＬＣ−２、ＬＣＨ−Ｍ、またはＬＣＨ−Ｓを再構成する。
【０１４４】
任意選択で、マスタセルグループ無線ベアラを解放すると決定したときに、構成ユニット２３は、ＰＤＣＰ−１、ＲＬＣ−１、およびＬＣＨ−Ｍを解放し、無線ベアラが解放されたことを非アクセス層に示す。
【０１４５】
任意選択で、２次セルグループ無線ベアラを解放すると決定したときに、構成ユニット２３は、ＰＤＣＰ−１、ＲＬＣ−１、およびＬＣＨ−Ｓを解放し、無線ベアラが解放されたことを非アクセス層に示す。
【０１４６】
任意選択で、オフロード無線ベアラを解放すると決定したときに、構成ユニット２３は、ＰＤＣＰ−１を解放し、ＲＬＣ−１およびＲＬＣ−２を解放し、ＬＣＨ−ＭおよびＬＣＨ−Ｓを解放し、無線ベアラが解放されたことを非アクセス層に示す。
【０１４７】
任意選択で、マスタセルグループ無線ベアラをマスタセルグループ無線ベアラとして再確立すると決定したときに、構成ユニット２３は、ＰＤＣＰ−１およびＲＬＣ−１を再確立し、２次セルグループ無線ベアラをマスタセルグループ無線ベアラとして再確立すると決定したときに、構成ユニット２３は、ＰＤＣＰ−１およびＲＬＣ−１を再確立し、ＬＣＨ−Ｍを確立し、ＬＣＨ−Ｓを解放し、または、オフロード無線ベアラをマスタセルグループ無線ベアラとして再確立すると決定したときに、構成ユニット２３は、ＰＤＣＰ−１、ＲＬＣ−１およびＲＬＣ−２を再確立し、ＲＬＣ−２およびＬＣＨ−Ｓを解放することが可能である。
【０１４８】
ユーザ機器は、ＲＬＣ−２を再確立してＲＬＣエンティティが受信データをＰＤＣＰに転送するようにし、このデータがＰＤＣＰに転送された後は、ＲＬＣ−２が無効になり、ユーザ機器がＲＬＣ−２を解放することに留意されたい。
【０１４９】
任意選択で、マスタセルグループ無線ベアラを２次セルグループ無線ベアラとして再確立すると決定したときに、構成ユニット２３は、ＰＤＣＰ−１およびＲＬＣ−１を再確立し、ＬＣＨ−Ｓを確立し、ＬＣＨ−Ｍを解放し、２次セルグループ無線ベアラを２次セルグループ無線ベアラとして再確立すると決定したときに、構成ユニット２３は、ＰＤＣＰ−１およびＲＬＣ−１を再確立し、または、オフロード無線ベアラを２次セルグループ無線ベアラとして再確立すると決定したときに、構成ユニット２３は、ＰＤＣＰ−１およびＲＬＣ−２を再確立し、また、構成ユニット２３は、ＲＬＣ−１を再確立し、ＲＬＣ−１およびＬＣＨ−Ｍを解放することが可能である。
【０１５０】
任意選択で、マスタセルグループ無線ベアラをオフロード無線ベアラとして再確立すると決定したときに、構成ユニット２３は、ＲＬＣ−２およびＬＣＨ−Ｓを確立し、２次セルグループ無線ベアラをオフロード無線ベアラとして再確立すると決定したときに、構成ユニット２３は、ＰＤＣＰ−１およびＲＬＣ−１を再確立し、ＲＬＣ−２およびＬＣＨ−Ｍを確立し、または、オフロード無線ベアラをオフロード無線ベアラとして再確立すると決定したときに、構成ユニット２３は、ＰＤＣＰ１、ＲＬＣ−１およびＲＬＣ−２を再確立することが可能である。
【０１５１】
前述の動作のプロセスにおいて、ユーザ機器は、ＰＤＣＰステータス報告をネットワークデバイスに送信することが可能であり、構成ユニット２３は、ＰＤＣＰ−１、ＲＬＣ−１、ＲＬＣ−２、ＬＣＨ−Ｍ、またはＬＣＨ−Ｓを再構成することが可能であるが、これは、本発明の本実施形態では限定されないことに留意されたい。
【０１５２】
任意選択で、構成ユニット２３は、構成タイプに従って、２次セルグループに対応するＭＡＣエンティティに対して動作を実行することが可能である。
【０１５３】
前述のユーザ機器を使用することにより、ユーザ機器は、ネットワークデバイスから送信された第１のメッセージを受信し、第１のメッセージに従って構成タイプを決定し、この構成タイプに従って、第１のタイプの無線ベアラ、第２のタイプの無線ベアラ、および第３のタイプの無線ベアラを構成する、またはこの構成タイプに従って、２次セルグループに対応する媒体アクセス制御ＭＡＣエンティティを構成する。このようにして、ユーザ機器は、基地局から送信された無線リソース制御メッセージに従って、様々なタイプの無線ベアラを正しく構成し、ＭＡＣエンティティを正しく構成することができる。
【０１５４】
本発明の実施形態は、構成方法を提供する。図３に示すように、この方法は、ネットワークデバイスによって実行され、また、この方法は、以下を含む。
【０１５５】
Ｓ３０１：ネットワークデバイスが、構成タイプを決定する。
【０１５６】
構成タイプは、ユーザ機器が無線ベアラ上または２次セルグループに対応する媒体アクセス制御ＭＡＣエンティティ上で実行する必要がある動作を指す。
【０１５７】
具体的には、ユーザ機器に対応するマスタ基地局および２次基地局と通信するために別個に使用される、３つのタイプの無線ベアラがある。第１のタイプの無線ベアラは、マスタセルグループ無線ベアラとすることが可能であり、第２のタイプの無線ベアラは、２次セルグループ無線ベアラとすることが可能であり、第３のタイプの無線ベアラは、オフロード無線ベアラとすることが可能である。ユーザ機器は、マスタセルグループ無線ベアラを使用することによってマスタ基地局と通信し、２次セルグループ無線ベアラを使用することによって２次基地局と通信し、オフロード無線ベアラを使用することによってマスタ基地局および２次基地局と同時に通信する。現在の構成は、ユーザ機器に保存され、ここで、現在の構成は、無線ベアラを構成するために使用される。
【０１５８】
マスタセルグループ無線ベアラは、１つのＰＤＣＰ（Ｐａｃｋｅｔ  Ｄａｔａ  Ｃｏｎｖｅｒｇｅｎｃｅ  Ｐｒｏｔｏｃｏｌ、パケットデータ収束プロトコル）エンティティ、１つのＲＬＣ（Ｒａｄｉｏ  Ｌｉｎｋ  Ｃｏｎｔｒｏｌ、無線リンク制御）エンティティ、および１つのＬＣＨ（Ｌｏｇｉｃａｌ  Ｃｈａｎｎｅｌ、論理チャネル）を含み、２次セルグループ無線ベアラは、１つのＰＤＣＰエンティティ、１つのＲＬＣエンティティ、および１つのＬＣＨを含み、オフロード無線ベアラは、１つのＰＤＣＰエンティティ、２つのＲＬＣエンティティ、および２つのＬＣＨを含み、ここで、ＬＣＨは、ＭＡＣ（Ｍｅｄｉｕｍ  Ａｃｃｅｓｓ  Ｃｏｎｔｒｏｌ、媒体アクセス制御）エンティティである。
【０１５９】
さらに、ネットワークデバイスが構成タイプを決定するときには、以下の要因のうちの１つが考慮され得る、すなわち端末から送信される測定報告、端末によってサポートされる無線ベアラタイプ、マスタ基地局と２次基地局の間のバックボーンネットワーク負荷、コアネットワークの負荷、無線ベアラのサービス品質（Ｑｕａｌｉｔｙ  ｏｆ  Ｓｅｒｖｉｃｅ、ＱｏＳ）、ＭｅＮＢの負荷、およびＳｅＮＢの負荷のうちの１つが考慮され得る。
【０１６０】
例えば、無線ベアラの確立に対する無線ベアラのＱｏＳの影響を一例として使用すると、無線ベアラのＱｏＳが高いスループットを必要とする場合には、ネットワークデバイスは、その無線ベアラを第２のタイプの無線ベアラまたは第３のタイプの無線ベアラとして確立すると決定し、無線ベアラのＱｏＳが低いスループットを必要とする場合には、ネットワークデバイスは、その無線ベアラを第１のタイプの無線ベアラとして確立すると決定する。
【０１６１】
例えば、無線ベアラの再確立に対するマスタ基地局と２次基地局の間のバックボーンネットワーク負荷の影響を一例として使用すると、マスタ基地局と２次基地局の間のバックボーンネットワーク負荷が大きい場合には、ネットワークデバイスは、１または複数の第３のタイプの無線ベアラを第１のタイプまたは第２のタイプの無線ベアラとして再確立すると決定し、マスタ基地局と２次基地局の間のバックボーンネットワーク負荷が小さい場合には、ネットワークデバイスは、１または複数の第１のタイプまたは第２のタイプの無線ベアラを１つの第３のタイプの無線ベアラとして再確立すると決定する。
【０１６２】
例えば、無線ベアラの再確立に対するコアネットワークの負荷の影響を一例として使用すると、コアネットワークの負荷が大きい場合には、ネットワークデバイスは、１または複数の第２のタイプの無線ベアラを第１のタイプまたは第３のタイプの無線ベアラとして再確立すると決定し、コアネットワークの負荷が小さい場合には、ネットワークデバイスは、１または複数の第１のタイプまたは第３のタイプの無線ベアラを第２のタイプの無線ベアラとして再確立すると決定する。
【０１６３】
例えば、無線ベアラの再確立に対するマスタ基地局の負荷の影響を一例として使用すると、マスタ基地局の負荷が大きい場合には、ネットワークデバイスは、１または複数の第１のタイプまたは第３のタイプの無線ベアラを第２のタイプの無線ベアラとして再確立すると決定し、マスタ基地局の負荷が小さい場合には、ネットワークデバイスは、１または複数の第２のタイプの無線ベアラを第１のタイプまたは第３のタイプの無線ベアラとして再確立すると決定する。
【０１６４】
Ｓ３０２：ネットワークデバイスは、構成タイプに従って第１のメッセージを生成する。
【０１６５】
第１のメッセージは、ユーザ機器に、無線ベアラまたはＭＡＣエンティティを構成するように命令するために使用される。
【０１６６】
任意選択で、構成タイプが第１のタイプの無線ベアラを確立または再構成することであると決定ユニットが決定したときに、無線ベアラの識別情報と、第１の無線ベアラ確立および修正リストとが取得され、無線ベアラの識別情報が、第１の無線ベアラ確立および修正リストに追加され、第１の無線ベアラ確立および修正リストを含む第１のメッセージが生成される。
【０１６７】
任意選択で、構成タイプが第２のタイプの無線ベアラを確立もしくは再構成することであると決定ユニットが決定したときに、無線ベアラの識別情報と、第２の無線ベアラ確立および修正リストとが取得され、識別情報が第２の無線ベアラ確立および修正リストに追加され、第２の無線ベアラ確立および修正リストを含む第１のメッセージが生成される。
【０１６８】
任意選択で、構成タイプが第３のタイプの無線ベアラを確立もしくは再構成することであると決定ユニットが決定したときに、無線ベアラの識別情報と、第１の無線ベアラ確立および修正リストと、第２の無線ベアラ確立および修正リストとが取得され、識別情報が第１の無線ベアラ確立および修正リストと第２の無線ベアラ確立および修正リストとに追加され、第１の無線ベアラ確立および修正リストと第２の無線ベアラ確立および修正リストとを含む第１のメッセージが生成される。
【０１６９】
任意選択で、構成タイプが無線ベアラを解放することであると決定ユニットが決定したときに、無線ベアラの識別情報および第１の無線ベアラ解放リストが取得され、識別情報が第１の無線ベアラ解放リストに追加され、第１の無線ベアラ解放リストを含む第１のメッセージが生成される。
【０１７０】
任意選択で、構成タイプが無線ベアラを解放することであると決定ユニットが決定したときに、無線ベアラの識別情報および第２の無線ベアラ解放リストが取得され、識別情報が第２の無線ベアラ解放リストに追加され、第２の無線ベアラ解放リストを含む第１のメッセージが生成される。
【０１７１】
任意選択で、構成タイプが無線ベアラを解放することであると決定ユニットが決定したときに、無線ベアラの識別情報、第１の無線ベアラ解放リスト、および第２の無線ベアラ解放リストが取得され、識別情報が第１の無線ベアラ解放リストおよび第２の無線ベアラ解放リストに追加され、第１の無線ベアラ解放リストおよび第２の無線ベアラ解放リストを含む第１のメッセージが生成される。
【０１７２】
任意選択で、構成タイプがユーザ機器に対応する全ての確立された無線ベアラを第１のタイプの無線ベアラとして再確立することであると決定ユニットが決定したときに、第１の再確立識別を含む第１のメッセージが生成される。
【０１７３】
任意選択で、構成タイプがユーザ機器に対応する全ての確立された無線ベアラを第１のタイプの無線ベアラとして再確立することであると決定ユニットが決定したときに、無線ベアラの識別情報、および第１のタイプの無線ベアラ再確立リストが取得され、この識別情報が第１のタイプの無線ベアラ再確立リストに追加され、第１のタイプの無線ベアラ再確立リストを含む第１のメッセージが生成される。
【０１７４】
任意選択で、構成タイプがユーザ機器に対応する全ての確立された無線ベアラを第１のタイプの無線ベアラとして再確立することであると決定ユニットが決定したときに、無線ベアラの識別情報、第１の無線ベアラ解放リスト、および第１の無線ベアラ確立および修正リストが取得され、この識別情報が第１の無線ベアラ解放リストおよび第１の無線ベアラ確立および修正リストに追加され、第１の無線ベアラ解放リストおよび第１の無線ベアラ確立および修正リストを含む第１のメッセージが生成される。
【０１７５】
任意選択で、構成タイプがユーザ機器に対応する全ての確立された無線ベアラを第１のタイプの無線ベアラとして再確立することであると決定ユニットが決定したときに、無線ベアラの識別情報と、無線ベアラの識別情報に対応する進化型パケットシステムベアラの識別情報と、第１の無線ベアラ解放リストと、第１の無線ベアラ確立および修正リストとが取得され、無線ベアラの識別情報が第１の無線ベアラ解放リストに追加され、進化型パケットシステムベアラの識別情報が第１の無線ベアラ確立および修正リストに追加され、第１の無線ベアラ解放リストと第１の無線ベアラ確立および修正リストとを含む第１のメッセージが生成される。
【０１７６】
任意選択で、構成タイプがユーザ機器に対応する全ての確立された無線ベアラを第１のタイプの無線ベアラとして再確立することであると決定ユニットが決定したときに、進化型パケットシステムベアラの識別情報と、第１の無線ベアラ解放リストと、第１の無線ベアラ確立および修正リストとが取得され、進化型パケットシステムベアラの識別情報が第１の無線ベアラ解放リストと第１の無線ベアラ確立および修正リストとに追加され、第１の無線ベアラ解放リストと第１の無線ベアラ確立および修正リストとを含む第１のメッセージが生成される。
【０１７７】
任意選択で、構成タイプがユーザ機器に対応する全ての確立された無線ベアラを第１のタイプの無線ベアラとして再確立することであると決定ユニットが決定したときに、無線ベアラの識別情報と、マスタセルグループ解放識別と、第１の無線ベアラ確立および修正リストとが取得され、無線ベアラの識別情報が第１の無線ベアラ確立および修正リストに追加され、マスタセルグループ解放識別と第１の無線ベアラ確立および修正リストとを含む第１のメッセージが生成される。
【０１７８】
任意選択で、構成タイプがユーザ機器に対応する全ての確立された無線ベアラを第１のタイプの無線ベアラとして再確立することであると決定ユニットが決定したときに、進化型パケットシステムベアラの識別情報と、マスタセルグループ解放識別と、第１の無線ベアラ確立および修正リストとが取得され、進化型パケットシステムベアラの識別情報が第１の無線ベアラ確立および修正リストに追加され、マスタセルグループ解放識別と第１の無線ベアラ確立および修正リストとを含む第１のメッセージが生成される。
【０１７９】
任意選択で、構成タイプがユーザ機器に対応する全ての確立された無線ベアラを第２のタイプの無線ベアラとして再確立することであると決定ユニットが決定したときに、第２の再確立識別を含む第１のメッセージが生成される。
【０１８０】
任意選択で、構成タイプがユーザ機器に対応する全ての確立された無線ベアラを第２のタイプの無線ベアラとして再確立することであると決定ユニットが決定したときに、無線ベアラの識別情報、および第２のタイプの無線ベアラ再確立リストが取得され、この識別情報が第２のタイプの無線ベアラ再確立リストに追加され、第２のタイプの無線ベアラ再確立リストを含む第１のメッセージが生成される。
【０１８１】
任意選択で、構成タイプがユーザ機器に対応する全ての確立された無線ベアラを第２のタイプの無線ベアラとして再確立することであると決定ユニットが決定したときに、無線ベアラの識別情報、第１の無線ベアラ解放リスト、および第２の無線ベアラ確立および修正リストが取得され、この識別情報が第１の無線ベアラ解放リストおよび第２の無線ベアラ確立および修正リストに追加され、第１の無線ベアラ解放リストおよび第２の無線ベアラ確立および修正リストを含む第１のメッセージが生成される。
【０１８２】
任意選択で、構成タイプがユーザ機器に対応する全ての確立された無線ベアラを第２のタイプの無線ベアラとして再確立することであると決定ユニットが決定したときに、無線ベアラの識別情報、第２の無線ベアラ解放リスト、および第２の無線ベアラ確立および修正リストが取得され、この識別情報が第２の無線ベアラ解放リストおよび第２の無線ベアラ確立および修正リストに追加され、第２の無線ベアラ解放リストおよび第２の無線ベアラ確立および修正リストを含む第１のメッセージが生成される。
【０１８３】
任意選択で、構成タイプがユーザ機器に対応する全ての確立された無線ベアラを第２のタイプの無線ベアラとして再確立することであると決定ユニットが決定したときに、無線ベアラの識別情報、無線ベアラの識別情報に対応する進化型パケットシステムベアラの識別情報、第１の無線ベアラ解放リスト、および第２の無線ベアラ確立および修正リストが取得され、無線ベアラの識別情報が第１の無線ベアラ解放リストに追加され、進化型パケットシステムベアラの識別情報が第２の無線ベアラ確立および修正リストに追加され、第１の無線ベアラ解放リストおよび第２の無線ベアラ確立および修正リストを含む第１のメッセージが生成される。
【０１８４】
任意選択で、構成タイプがユーザ機器に対応する全ての確立された無線ベアラを第２のタイプの無線ベアラとして再確立することであると決定ユニットが決定したときに、無線ベアラの識別情報と、無線ベアラの識別情報に対応する進化型パケットシステムベアラの識別情報と、第２の無線ベアラ解放リストと、第２の無線ベアラ確立および修正リストとが取得され、無線ベアラの識別情報が第２の無線ベアラ解放リストに追加され、進化型パケットシステムベアラの識別情報が第２の無線ベアラ確立および修正リストに追加され、第２の無線ベアラ解放リストと第２の無線ベアラ確立および修正リストとを含む第１のメッセージが生成される。
【０１８５】
任意選択で、構成タイプがユーザ機器に対応する全ての確立された無線ベアラを第２のタイプの無線ベアラとして再確立することであると決定ユニットが決定したときに、進化型パケットシステムベアラの識別情報と、第１の無線ベアラ解放リストと、第２の無線ベアラ確立および修正リストとが取得され、進化型パケットシステムベアラの識別情報が第１の無線ベアラ解放リストと第２の無線ベアラ確立および修正リストとに追加され、第１の無線ベアラ解放リストと第２の無線ベアラ確立および修正リストとを含む第１のメッセージが生成される。
【０１８６】
任意選択で、構成タイプがユーザ機器に対応する全ての確立された無線ベアラを第２のタイプの無線ベアラとして再確立することであると決定ユニットが決定したときに、進化型パケットシステムベアラの識別情報と、第２の無線ベアラ解放リストと、第２の無線ベアラ確立および修正リストとが取得され、進化型パケットシステムベアラの識別情報が第２の無線ベアラ解放リストと第２の無線ベアラ確立および修正リストとに追加され、第２の無線ベアラ解放リストと第２の無線ベアラ確立および修正リストとを含む第１のメッセージが生成される。
【０１８７】
任意選択で、構成タイプがユーザ機器に対応する全ての確立された無線ベアラを第２のタイプの無線ベアラとして再確立することであると決定ユニットが決定したときに、無線ベアラの識別情報と、２次セルグループ解放識別と、第２の無線ベアラ確立および修正リストとが取得され、無線ベアラの識別情報が第２の無線ベアラ確立および修正リストに追加され、２次セルグループ解放識別と第２の無線ベアラ確立および修正リストとを含む第１のメッセージが生成される。
【０１８８】
任意選択で、構成タイプがユーザ機器に対応する全ての確立された無線ベアラを第２のタイプの無線ベアラとして再確立することであると決定ユニットが決定したときに、進化型パケットシステムベアラの識別情報と、２次セルグループ解放識別と、第２の無線ベアラ確立および修正リストとが取得され、進化型パケットシステムベアラの識別情報が第２の無線ベアラ確立および修正リストに追加され、２次セルグループ解放識別と第２の無線ベアラ確立および修正リストとを含む第１のメッセージが生成される。
【０１８９】
任意選択で、構成タイプがユーザ機器に対応する全ての確立された無線ベアラを第３のタイプの無線ベアラとして再確立することであると決定ユニットが決定したときに、第３の再確立識別を含む第１のメッセージが生成される。
【０１９０】
任意選択で、構成タイプがユーザ機器に対応する全ての確立された無線ベアラを第３のタイプの無線ベアラとして再確立することであると決定ユニットが決定したときに、無線ベアラの識別情報、および第３のタイプの無線ベアラ再確立リストが取得され、この識別情報が第３のタイプの無線ベアラ再確立リストに追加され、第３のタイプの無線ベアラ再確立リストを含む第１のメッセージが生成される。
【０１９１】
任意選択で、構成タイプがユーザ機器に対応する全ての確立された無線ベアラを第３のタイプの無線ベアラとして再確立することであると決定ユニットが決定したときに、無線ベアラの識別情報、第１の無線ベアラ解放リスト、第１の無線ベアラ確立および修正リスト、および第２の無線ベアラ確立および修正リストが取得され、無線ベアラの識別情報が第１の無線ベアラ解放リスト、第１の無線ベアラ確立および修正リスト、および第２の無線ベアラ確立および修正リストに追加され、第１の無線ベアラ解放リスト、第１の無線ベアラ確立および修正リスト、および第２の無線ベアラ確立および修正リストを含む第１のメッセージが生成される。
【０１９２】
任意選択で、構成タイプがユーザ機器に対応する全ての確立された無線ベアラを第３のタイプの無線ベアラとして再確立することであると決定ユニットが決定したときに、無線ベアラの識別情報、第１の無線ベアラ解放リスト、第２の無線ベアラ解放リスト、第１の無線ベアラ確立および修正リスト、および第２の無線ベアラ確立および修正リストが取得され、無線ベアラの識別情報が第１の無線ベアラ解放リスト、第２の無線ベアラ解放リスト、第１の無線ベアラ確立および修正リスト、および第２の無線ベアラ確立および修正リストに追加され、第１の無線ベアラ解放リスト、第２の無線ベアラ解放リスト、第１の無線ベアラ確立および修正リスト、および第２の無線ベアラ確立および修正リストを含む第１のメッセージが生成される。
【０１９３】
任意選択で、構成タイプがユーザ機器に対応する全ての確立された無線ベアラを第３のタイプの無線ベアラとして再確立することであると決定ユニットが決定したときに、無線ベアラの第１の識別情報、無線ベアラの第２の識別情報、無線ベアラの第１の識別情報に対応する進化型パケットシステムベアラの識別情報、第１の無線ベアラ解放リスト、第１の無線ベアラ確立および修正リスト、および第２の無線ベアラ確立および修正リストが取得され、無線ベアラの第１の識別情報が第１の無線ベアラ解放リストに追加され、無線ベアラの第１の識別情報、無線ベアラの第２の識別情報、および進化型パケットシステムベアラの識別情報が第１の無線ベアラ確立および修正リストに追加され、無線ベアラの第２の識別情報が第２の無線ベアラ確立および修正リストに追加され、第１の無線ベアラ解放リスト、第１の無線ベアラ確立および修正リスト、および第２の無線ベアラ確立および修正リストを含む第１のメッセージが生成される。
【０１９４】
任意選択で、構成タイプがユーザ機器に対応する全ての確立された無線ベアラを第３のタイプの無線ベアラとして再確立することであると決定ユニットが決定したときに、無線ベアラの第１の識別情報と、無線ベアラの第２の識別情報と、無線ベアラの第１の識別情報に対応する進化型パケットシステムベアラの識別情報と、第１の無線ベアラ解放リストと、第２の無線ベアラ解放リストと、第１の無線ベアラ確立および修正リストと、第２の無線ベアラ確立および修正リストとが取得され、無線ベアラの第１の識別情報が第１の無線ベアラ解放リストおよび第２の無線ベアラ解放リストに追加され、無線ベアラの第２の識別情報および進化型パケットシステムベアラの識別情報が第１の無線ベアラ確立および修正リストに追加され、無線ベアラの第２の識別情報が第２の無線ベアラ確立および修正リストに追加され、第１の無線ベアラ解放リストと、第２の無線ベアラ解放リストと、第１の無線ベアラ確立および修正リストと、第２の無線ベアラ確立および修正リストとを含む第１のメッセージが生成される。
【０１９５】
任意選択で、構成タイプがユーザ機器に対応する全ての確立された無線ベアラを第３のタイプの無線ベアラとして再確立することであると決定ユニットが決定したときに、進化型パケットシステムベアラの識別情報と、進化型パケットシステムベアラに対応する無線ベアラの識別情報と、第１の無線ベアラ解放リストと、第１の無線ベアラ確立および修正リストと、第２の無線ベアラ確立および修正リストとが取得され、進化型パケットシステムベアラの識別情報が第１の無線ベアラ解放リストに追加され、進化型パケットシステムベアラの識別情報および無線ベアラの識別情報が第１の無線ベアラ確立および修正リストに追加され、無線ベアラの識別情報が第２の無線ベアラ確立および修正リストに追加され、第１の無線ベアラ解放リストと、第１の無線ベアラ確立および修正リストと、第２の無線ベアラ確立および修正リストとを含む第１のメッセージが生成される。
【０１９６】
任意選択で、構成タイプがユーザ機器に対応する全ての確立された無線ベアラを第３のタイプの無線ベアラとして再確立することであると決定ユニットが決定したときに、進化型パケットシステムベアラの識別情報と、進化型パケットシステムベアラに対応する無線ベアラの識別情報と、第１の無線ベアラ解放リストと、第２の無線ベアラ解放リストと、第１の無線ベアラ確立および修正リストと、第２の無線ベアラ確立および修正リストとが取得され、進化型パケットシステムベアラの識別情報が第１の無線ベアラ解放リストおよび第２の無線ベアラ解放リストに追加され、進化型パケットシステムベアラの識別情報および無線ベアラの識別情報が第１の無線ベアラ確立および修正リストに追加され、無線ベアラの識別情報が第２の無線ベアラ確立および修正リストに追加され、第１の無線ベアラ解放リストと、第２の無線ベアラ解放リストと、第１の無線ベアラ確立および修正リストと、第２の無線ベアラ確立および修正リストとを含む第１のメッセージが生成される
【０１９７】
任意選択で、構成タイプがユーザ機器に対応する全ての確立された無線ベアラを第３のタイプの無線ベアラとして再確立することであると決定ユニットが決定したときに、無線ベアラの識別情報と、マスタセルグループ解放識別と、第１の無線ベアラ確立および修正リストと、第２の無線ベアラ確立および修正リストとが取得され、無線ベアラの識別情報が第１の無線ベアラ確立および修正リストと第２の無線ベアラ確立および修正リストとに追加され、マスタセルグループ解放識別と、第１の無線ベアラ確立および修正リストと、第２の無線ベアラ確立および修正リストとを含む第１のメッセージが生成される。
【０１９８】
任意選択で、構成タイプがユーザ機器に対応する全ての確立された無線ベアラを第３のタイプの無線ベアラとして再確立することであると決定ユニットが決定したときに、無線ベアラの識別情報と、２次セルグループ解放識別と、第１の無線ベアラ確立および修正リストと、第２の無線ベアラ確立および修正リストとが取得され、無線ベアラの識別情報が第１の無線ベアラ確立および修正リストと第２の無線ベアラ確立および修正リストとに追加され、２次セルグループ解放識別と、第１の無線ベアラ確立および修正リストと、第２の無線ベアラ確立および修正リストとを含む第１のメッセージが生成される。
【０１９９】
任意選択で、構成タイプがユーザ機器に対応する全ての確立された無線ベアラを第３のタイプの無線ベアラとして再確立することであると決定ユニットが決定したときに、進化型パケットシステムベアラの識別情報と、進化型パケットシステムベアラの識別情報に対応する無線ベアラの識別情報と、マスタセルグループ解放識別と、第１の無線ベアラ確立および修正リストと、第２の無線ベアラ確立および修正リストとが取得され、進化型パケットシステムベアラの識別情報および無線ベアラの識別情報が第１の無線ベアラ確立および修正リストに追加され、無線ベアラの識別情報が第２の無線ベアラ確立および修正リストに追加され、マスタセルグループ解放識別と、第１の無線ベアラ確立および修正リストと、第２の無線ベアラ確立および修正リストとを含む第１のメッセージが生成される。
【０２００】
任意選択で、構成タイプがユーザ機器に対応する全ての確立された無線ベアラを第３のタイプの無線ベアラとして再確立することであると決定ユニットが決定したときに、進化型パケットシステムベアラの識別情報と、進化型パケットシステムベアラの識別情報に対応する無線ベアラの識別情報と、２次セルグループ解放識別と、第１の無線ベアラ確立および修正リストと、第２の無線ベアラ確立および修正リストとが取得され、進化型パケットシステムベアラの識別情報および無線ベアラの識別情報が第１の無線ベアラ確立および修正リストに追加され、無線ベアラの識別情報が第２の無線ベアラ確立および修正リストに追加され、２次セルグループ解放識別と、第１の無線ベアラ確立および修正リストと、第２の無線ベアラ確立および修正リストとを含む第１のメッセージが生成される。
【０２０１】
任意選択で、構成タイプが２次セルグループに対応するＭＡＣエンティティを確立もしくは再構成することであると決定ユニットが決定したときに、２次セルグループの識別と、２次セルグループ確立および修正リストとが取得され、２次セルグループの識別が２次セルグループ確立および修正リストに追加され、２次セルグループ確立および修正リストを含む第１のメッセージが生成される。
【０２０２】
任意選択で、構成タイプが２次セルグループに対応するＭＡＣエンティティを確立もしくは再構成することであると決定ユニットが決定したときに、２次セルグループ確立および修正識別が取得され、２次セルグループ確立および修正識別を含む第１のメッセージが生成される。
【０２０３】
任意選択で、構成タイプが２次セルグループに対応するＭＡＣエンティティを確立もしくは再構成することであると決定ユニットが決定したときに、２次ＭＡＣ構成識別が取得され、２次ＭＡＣ構成識別を含む第１のメッセージが生成される。
【０２０４】
任意選択で、構成タイプが２次セルグループに対応するＭＡＣエンティティを解放することであると決定ユニットが決定したときに、２次セルグループの識別および２次セルグループ解放リストが取得され、２次セルグループの識別が２次セルグループ解放リストに追加され、２次セルグループ解放リストを含む第１のメッセージが生成される
【０２０５】
任意選択で、構成タイプが２次セルグループに対応するＭＡＣエンティティを解放することであると決定ユニットが決定したときに、２次セルグループ解放識別が取得され、２次セルグループ解放識別を含む第１のメッセージが生成される。
【０２０６】
任意選択で、構成タイプが２次セルグループに対応するＭＡＣエンティティを解放することであると決定ユニットが決定したときに、２次ＭＡＣ解放識別が取得され、２次ＭＡＣ解放識別を含む第１のメッセージが生成される。
【０２０７】
任意選択で、構成タイプが２次セルグループに対応するＭＡＣエンティティをリセットすることであると決定ユニットが決定したときに、２次セルグループの識別と、２次セルグループ確立および修正リストと、２次セルグループ解放リストとが取得され、２次セルグループの識別が２次セルグループ確立および修正リストと２次セルグループ解放リストとに追加され、２次セルグループ確立および修正リストと２次セルグループ解放リストとを含む第１のメッセージが生成される。
【０２０８】
任意選択で、構成タイプが２次セルグループに対応するＭＡＣエンティティをリセットすることであると決定ユニットが決定したときに、２次セルグループ確立および修正識別と、２次セルグループ解放識別とが取得され、２次セルグループ確立および修正識別と２次セルグループ解放識別とを含む第１のメッセージが生成される。
【０２０９】
任意選択で、構成タイプが２次セルグループに対応するＭＡＣエンティティをリセットすることであると決定ユニットが決定したときに、２次ＭＡＣ構成識別および２次セルグループ解放識別が取得され、２次ＭＡＣ構成識別および２次セルグループ解放識別を含む第１のメッセージが生成される。
【０２１０】
任意選択で、構成タイプが２次セルグループに対応するＭＡＣエンティティをリセットすることであると決定ユニットが決定したときに、２次ＭＡＣ構成識別および２次ＭＡＣ解放識別が取得され、２次ＭＡＣ構成識別および２次ＭＡＣ解放識別を含む第１のメッセージが生成される。
【０２１１】
任意選択で、構成タイプが２次セルグループに対応するＭＡＣエンティティをリセットすることであると決定ユニットが決定したときに、２次セルグループリセット識別が取得され、２次セルグループリセット識別を含む第１のメッセージが生成される。
【０２１２】
任意選択で、構成タイプが２次セルグループに対応するＭＡＣエンティティをリセットすることであると決定ユニットが決定したときに、２次ＭＡＣリセット識別が取得され、２次ＭＡＣリセット識別を含む第１のメッセージが生成される。
【０２１３】
Ｓ３０３：ネットワークデバイスが、第１のメッセージをユーザ機器に送信する。
【０２１４】
具体的には、第１のメッセージを生成した後で、ネットワークデバイスは、第１のメッセージをユーザ機器に送信して、ユーザ機器が第１のメッセージに従って構成タイプを決定し、構成タイプに従って無線ベアラまたはＭＡＣエンティティを構成するようにする。
【０２１５】
ネットワークデバイスによって実行される前述の方法を使用することにより、ネットワークデバイスは、構成タイプを決定し、構成タイプに従って第１のメッセージを生成し、第１のメッセージをユーザ機器に送信する。このようにして、ユーザ機器は、基地局から送信された第１のメッセージに従って、様々なタイプの無線ベアラを正しく構成し、ＭＡＣエンティティを正しく構成することができる。
【０２１６】
本発明の実施形態は、構成方法を提供する。図４に示すように、この方法は、ユーザ機器によって実行され、この方法は、以下を含む。
【０２１７】
Ｓ４０１：ユーザ機器が、ネットワークデバイスから送信される第１のメッセージを受信する。
【０２１８】
基地局は、ユーザ機器に対応するマスタ基地局を含み、第１のメッセージは、無線ベアラを構成するように、または２次セルグループに対応する媒体アクセス制御ＭＡＣエンティティを構成するようにユーザ機器に命令するために使用される。
【０２１９】
具体的には、基地局は、ユーザ機器に対応するマスタ基地局とすることが可能であり、第１のメッセージは、無線リソース制御メッセージとすることが可能である。マスタ基地局は、無線リソース制御メッセージをユーザ機器に送信して、無線リソース制御メッセージに従って無線ベアラを構成するように、または無線リソース制御メッセージに従って２次セルグループに対応するＭＡＣ（Ｍｅｄｉｕｍ  Ａｃｃｅｓｓ  Ｃｏｎｔｒｏｌ、媒体アクセス制御）エンティティを構成するようにユーザ機器に命令する。
【０２２０】
ユーザ機器に対応するマスタ基地局および２次基地局と通信するために別個に使用される、３つのタイプの無線ベアラがある。
【０２２１】
具体的には、ユーザ機器は、マスタセルグループ無線ベアラを使用することによってマスタ基地局と通信し、２次セルグループ無線ベアラを使用することによって２次基地局と通信し、オフロード無線ベアラを使用することによってマスタ基地局および２次基地局と同時に通信する。
【０２２２】
具体的には、ユーザ機器は、マスタセルグループに対応するＭＡＣエンティティを使用することによってマスタ基地局と通信し、２次セルグループに対応するＭＡＣエンティティを使用することによって２次基地局と通信する。
【０２２３】
ユーザ機器は、現在の構成を保存し、ここで、現在の構成は、無線ベアラまたは２次セルグループに対応するＭＡＣエンティティを構成するために使用される。
【０２２４】
マスタセルグループ無線ベアラは、マスタセルグループに対応するＭＡＣエンティティの１つのＰＤＣＰ（Ｐａｃｋｅｔ  Ｄａｔａ  Ｃｏｎｖｅｒｇｅｎｃｅ  Ｐｒｏｔｏｃｏｌ、パケットデータ収束プロトコル）エンティティ、１つのＲＬＣ（Ｒａｄｉｏ  Ｌｉｎｋ  Ｃｏｎｔｒｏｌ、無線リンク制御）エンティティ、および１つのＬＣＨ（Ｌｏｇｉｃａｌ  Ｃｈａｎｎｅｌ、論理チャネル）と関連付けられ、２次セルグループ無線ベアラは、２次ＭＡＣエンティティ、すなわち２次セルグループに対応するＭＡＣエンティティの１つのＰＤＣＰエンティティ、１つのＲＬＣエンティティ、および１つのＬＣＨと関連付けられ、オフロード無線ベアラは、１つのＰＤＣＰエンティティ、２つのＲＬＣエンティティ、および２つのＬＣＨと関連付けられ、この２つのＬＣＨのうちの一方は、マスタＭＡＣエンティティ、すなわちマスタセルグループに対応するＭＡＣエンティティのＬＣＨであり、他方は、２次ＭＡＣエンティティに対応するＭＡＣエンティティ、すなわち２次セルグループに対応するＭＡＣエンティティのＬＣＨである。
【０２２５】
Ｓ４０２：ユーザ機器が、第１のメッセージに従って、無線ベアラまたはＭＡＣエンティティを構成する構成タイプを決定する。
【０２２６】
構成タイプは、ユーザ機器が無線ベアラ上または２次セルグループに対応する媒体アクセス制御ＭＡＣエンティティ上で実行する必要がある動作を指す。
【０２２７】
任意選択で、受信ユニットによって受信された第１のメッセージが第１の無線ベアラ確立および修正リストを含み、第１の無線ベアラ確立および修正リストが無線ベアラの識別情報を含み、無線ベアラの識別情報がユーザ機器の現在の構成にない場合には、構成タイプが第１のタイプの無線ベアラを確立することであると決定する。
【０２２８】
任意選択で、第１のメッセージが第１の無線ベアラ確立および修正リストを含み、第１の無線ベアラ確立および修正リストが無線ベアラの識別情報を含み、無線ベアラの識別情報がユーザ機器の現在の構成にない場合には、構成タイプが第１のタイプの無線ベアラを確立することであると決定する。
【０２２９】
任意選択で、第１のメッセージが第２の無線ベアラ確立および修正リストを含み、第２の無線ベアラ確立および修正リストが無線ベアラの識別情報を含み、無線ベアラの識別情報がユーザ機器の現在の構成にない場合に、構成タイプが第２のタイプの無線ベアラを確立することであると決定する。
【０２３０】
任意選択で、第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にない場合に、構成タイプが第３のタイプの無線ベアラを確立することであると決定する。
【０２３１】
任意選択で、第１のメッセージが第１の無線ベアラ確立および修正リストを含み、第１の無線ベアラ確立および修正リストが無線ベアラの識別情報を含み、無線ベアラの識別情報がユーザ機器の現在の構成にある場合に、構成タイプが無線ベアラを再構成することであると決定する。
【０２３２】
任意選択で、第１のメッセージが第２の無線ベアラ確立および修正リストを含み、第２の無線ベアラ確立および修正リストが無線ベアラの識別情報を含み、無線ベアラの識別情報がユーザ機器の現在の構成にある場合に、構成タイプが無線ベアラを再構成することであると決定する。
【０２３３】
任意選択で、第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にある場合に、構成タイプが無線ベアラを再構成することであると決定する。
【０２３４】
任意選択で、第１のメッセージが第１の無線ベアラ解放リストを含み、第１の無線ベアラ解放リストが無線ベアラの識別情報を含み、無線ベアラの識別情報がユーザ機器の現在の構成にある場合に、構成タイプが無線ベアラを解放することであると決定する。
【０２３５】
任意選択で、第１のメッセージが第２の無線ベアラ解放リストを含み、第２の無線ベアラ解放リストが無線ベアラの識別情報を含み、無線ベアラの識別情報がユーザ機器の現在の構成にある場合に、構成タイプが無線ベアラを解放することであると決定する。
【０２３６】
任意選択で、第１のメッセージが第１の無線ベアラ解放リストおよび第２の無線ベアラ解放リストを含み、第１の無線ベアラ解放リストおよび第２の無線ベアラ解放リストが両方とも無線ベアラの識別情報を含み、無線ベアラの識別情報がユーザ機器の現在の構成にある場合に、構成タイプが無線ベアラを解放することであると決定する。
【０２３７】
任意選択で、第１のメッセージが第１の再確立識別を含む場合に、構成タイプが全ての無線ベアラを第１のタイプの無線ベアラとして再確立することであると決定する。
【０２３８】
任意選択で、第１のメッセージが第２の再確立識別を含む場合に、構成タイプが全ての無線ベアラを第２のタイプの無線ベアラとして再確立することであると決定する。
【０２３９】
任意選択で、第１のメッセージが第３の再確立識別を含む場合に、構成タイプが全ての無線ベアラを第３のタイプの無線ベアラとして再確立することであると決定する。
【０２４０】
任意選択で、第１のメッセージが第１のタイプの無線ベアラ再確立リストを含み、第１のタイプの無線ベアラ再確立リストが無線ベアラの識別情報を含み、無線ベアラの識別情報がユーザ機器の現在の構成にある場合には、構成タイプが無線ベアラを第１のタイプの無線ベアラとして再確立することであると決定する。
【０２４１】
任意選択で、第１のメッセージが第２のタイプの無線ベアラ再確立リストを含み、第２のタイプの無線ベアラ再確立リストが無線ベアラの識別情報を含み、無線ベアラの識別情報がユーザ機器の現在の構成にある場合には、構成タイプが無線ベアラを第２のタイプの無線ベアラとして再確立することであると決定する。
【０２４２】
任意選択で、第１のメッセージが第３のタイプの無線ベアラ再確立リストを含み、第３のタイプの無線ベアラ再確立リストが無線ベアラの識別情報を含み、無線ベアラの識別情報がユーザ機器の現在の構成にある場合には、構成タイプが無線ベアラを第３のタイプの無線ベアラとして再確立することであると決定する。
【０２４３】
任意選択で、第１のメッセージが第１の無線ベアラ解放リストと第１の無線ベアラ確立および修正リストとを含み、第１の無線ベアラ解放リストと第１の無線ベアラ確立および修正リストとが両方とも無線ベアラの識別情報を含み、無線ベアラの識別情報がユーザ機器の現在の構成にある場合には、構成タイプが無線ベアラを第１のタイプの無線ベアラとして再確立することであると決定する。
【０２４４】
任意選択で、第１のメッセージが第１の無線ベアラ解放リストと第２の無線ベアラ確立および修正リストとを含み、第１の無線ベアラ解放リストと第２の無線ベアラ確立および修正リストとが両方とも無線ベアラの識別情報を含み、無線ベアラの識別情報がユーザ機器の現在の構成にある場合には、構成タイプが無線ベアラを第２のタイプの無線ベアラとして再確立することであると決定する。
【０２４５】
任意選択で、第１のメッセージが第２の無線ベアラ解放リストと第２の無線ベアラ確立および修正リストとを含み、第２の無線ベアラ解放リストと第２の無線ベアラ確立および修正リストとが両方とも無線ベアラの識別情報を含み、無線ベアラの識別情報がユーザ機器の現在の構成にある場合には、構成タイプが無線ベアラを第２のタイプの無線ベアラとして再確立することであると決定する。
【０２４６】
任意選択で、第１のメッセージが第１の無線ベアラ解放リストと、第１の無線ベアラ確立および修正リストと、第２の無線ベアラ確立および修正リストとを含み、第１の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合には、構成タイプが無線ベアラを第３のタイプの無線ベアラとして再確立することであると決定する。
【０２４７】
任意選択で、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストと、第２の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合には、構成タイプが無線ベアラを第３のタイプの無線ベアラとして再確立することであると決定する。
【０２４８】
任意選択で、第１のメッセージが第１の無線ベアラ解放リストと第１の無線ベアラ確立および修正リストとを含み、第１の無線ベアラ解放リストが無線ベアラの識別情報を含み、第１の無線ベアラ確立および修正リストが無線ベアラの識別情報に対応する進化型パケットシステムベアラの識別情報を含み、無線ベアラの識別情報がユーザ機器の現在の構成にある場合には、構成タイプが無線ベアラを第１のタイプの無線ベアラとして再確立することであると決定する。
【０２４９】
任意選択で、第１のメッセージが第１の無線ベアラ解放リストと第２の無線ベアラ確立および修正リストとを含み、第１の無線ベアラ解放リストが無線ベアラの識別情報を含み、第２の無線ベアラ確立および修正リストが無線ベアラの識別情報に対応する進化型パケットシステムベアラの識別情報を含み、無線ベアラの識別情報がユーザ機器の現在の構成にある場合には、構成タイプが無線ベアラを第２のタイプの無線ベアラとして再確立することであると決定する。
【０２５０】
任意選択で、第１のメッセージが第２の無線ベアラ解放リストと第２の無線ベアラ確立および修正リストとを含み、第２の無線ベアラ解放リストが無線ベアラの識別情報を含み、第２の無線ベアラ確立および修正リストが無線ベアラの識別情報に対応する進化型パケットシステムベアラの識別情報を含み、無線ベアラの識別情報がユーザ機器の現在の構成にある場合には、構成タイプが無線ベアラを第２のタイプの無線ベアラとして再確立することであると決定する。
【０２５１】
任意選択で、第１のメッセージが第１の無線ベアラ解放リストと、第１の無線ベアラ確立および修正リストと、第２の無線ベアラ確立および修正リストとを含み、第１の無線ベアラ解放リストが無線ベアラの第１の識別情報を含み、第１の無線ベアラ確立および修正リストが無線ベアラの第１の識別情報に対応する進化型パケットシステムベアラの識別情報を含み、かつ無線ベアラの第２の識別情報を含み、第２の無線ベアラ確立および修正リストが無線ベアラの第２の識別情報を含み、無線ベアラの第１の識別情報がユーザ機器の現在の構成にある場合には、構成タイプが無線ベアラを第３のタイプの無線ベアラとして再確立することであると決定する。
【０２５２】
任意選択で、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも無線ベアラの第１の識別情報を含み、第１の無線ベアラ確立および修正リストが無線ベアラの第１の識別情報に対応する進化型パケットシステムベアラの識別情報を含み、かつ無線ベアラの第２の識別情報を含み、第２の無線ベアラ確立および修正リストが無線ベアラの第２の識別情報を含み、無線ベアラの第１の識別情報がユーザ機器の現在の構成にある場合に、構成タイプが無線ベアラを第３のタイプの無線ベアラとして再確立することであると決定する。
【０２５３】
任意選択で、第１のメッセージが第１の無線ベアラ解放リストと第１の無線ベアラ確立および修正リストとを含み、第１の無線ベアラ解放リストが進化型パケットシステムベアラの識別情報を含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定する。
【０２５４】
任意選択で、第１のメッセージが第１の無線ベアラ解放リストと第２の無線ベアラ確立および修正リストとを含み、第１の無線ベアラ解放リストが進化型パケットシステムベアラの識別情報を含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定する。
【０２５５】
任意選択で、第１のメッセージが第２の無線ベアラ解放リストと第２の無線ベアラ確立および修正リストとを含み、第２の無線ベアラ解放リストが進化型パケットシステムベアラの識別情報を含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定する。
【０２５６】
任意選択で、第１のメッセージが第１の無線ベアラ解放リストと、第１の無線ベアラ確立および修正リストと、第２の無線ベアラ確立および修正リストとを含み、第１の無線ベアラ解放リストが進化型パケットシステムベアラの識別情報を含み、第１の無線ベアラ確立および修正リストが進化型パケットシステムベアラの識別情報を含み、かつ進化型パケットシステムベアラに対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが無線ベアラを第３のタイプの無線ベアラとして再確立することであると決定する。
【０２５７】
任意選択で、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも進化型パケットシステムベアラの識別情報を含み、第１の無線ベアラ確立および修正リストが進化型パケットシステムベアラの識別情報を含み、かつ進化型パケットシステムベアラに対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定する。
【０２５８】
任意選択で、第１のメッセージがマスタセルグループ解放識別と第１の無線ベアラ確立および修正リストとを含み、第１の無線ベアラ確立および修正リストが無線ベアラの識別情報を含み、無線ベアラの識別情報がユーザ機器の現在の構成にある場合に、構成タイプが無線ベアラを第１のタイプの無線ベアラとして再確立することであると決定する。
【０２５９】
任意選択で、第１のメッセージが２次セルグループ解放識別と第２の無線ベアラ確立および修正リストとを含み、第２の無線ベアラ確立および修正リストが無線ベアラの識別情報を含み、無線ベアラの識別情報がユーザ機器の現在の構成にある場合に、構成タイプが無線ベアラを第２のタイプの無線ベアラとして再確立することであると決定する。
【０２６０】
任意選択で、第１のメッセージがマスタセルグループ解放識別と、第１の無線ベアラ確立および修正リストと、第２の無線ベアラ確立および修正リストとを含み、第１の無線ベアラ確立および修正リストと第２の無線ベアラ確立および修正リストとが両方とも無線ベアラの識別情報を含み、無線ベアラの識別情報がユーザ機器の現在の構成にある場合に、構成タイプが無線ベアラを第３のタイプの無線ベアラとして再確立することであると決定する。
【０２６１】
任意選択で、第１のメッセージが２次セルグループ解放識別と、第１の無線ベアラ確立および修正リストと、第２の無線ベアラ確立および修正リストとを含み、第１の無線ベアラ確立および修正リストと第２の無線ベアラ確立および修正リストとが両方とも無線ベアラの識別情報を含み、無線ベアラの識別情報がユーザ機器の現在の構成にある場合に、構成タイプが無線ベアラを第３のタイプの無線ベアラとして再確立することであると決定する。
【０２６２】
任意選択で、第１のメッセージがマスタセルグループ解放識別と第１の無線ベアラ確立および修正リストとを含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定する。
【０２６３】
任意選択で、第１のメッセージが２次セルグループ解放識別と第２の無線ベアラ確立および修正リストとを含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムに対応する無線ベアラを第２のタイプの無線ベアラとして再確立することであると決定する。
【０２６４】
任意選択で、第１のメッセージがマスタセルグループ解放識別と、第１の無線ベアラ確立および修正リストと、第２の無線ベアラ確立および修正リストとを含み、第１の無線ベアラ確立および修正リストが進化型パケットシステムベアラの識別情報を含み、かつ進化型パケットシステムベアラの識別情報に対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットベアラに対応する無線ベアラを第３のタイプの無線ベアラとして再確立することであると決定する。
【０２６５】
任意選択で、第１のメッセージが２次セルグループ解放識別と、第１の無線ベアラ確立および修正リストと、第２の無線ベアラ確立および修正リストとを含み、第１の無線ベアラ確立および修正リストが進化型パケットシステムベアラの識別情報を含み、かつ進化型パケットシステムベアラの識別情報に対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定する。
【０２６６】
任意選択で、第１のメッセージが２次セルグループ確立および修正リストを含み、２次セルグループ確立および修正リストが２次セルグループの識別を含み、２次セルグループの識別がユーザ機器の現在の構成にない場合に、構成タイプが２次セルグループに対応するＭＡＣエンティティを確立することであると決定する。
【０２６７】
任意選択で、第１のメッセージが２次セルグループ確立および修正リストを含み、２次セルグループ確立および修正リストが２次セルグループの識別を含み、２次セルグループの識別がユーザ機器の現在の構成にある場合に、構成タイプが２次セルグループに対応するＭＡＣエンティティを再構成することであると決定する。
【０２６８】
任意選択で、第１のメッセージが２次セルグループ解放リストを含み、２次セルグループ解放リストが２次セルグループの識別を含み、２次セルグループの識別がユーザ機器の現在の構成にある場合に、構成タイプが２次セルグループに対応するＭＡＣエンティティを解放することであると決定する。
【０２６９】
任意選択で、第１のメッセージが２次セルグループ確立および修正リストと２次セルグループ解放リストとを含み、２次セルグループ確立および修正リストと２次セルグループ解放リストとが両方とも２次セルグループの識別を含み、２次セルグループの識別がユーザ機器の現在の構成にある場合に、構成タイプが２次セルグループに対応するＭＡＣエンティティをリセットすることであると決定する。
【０２７０】
任意選択で、第１のメッセージが２次セルグループ確立および修正識別もしくは２次ＭＡＣ構成識別を含み、２次セルグループに対応するＭＡＣエンティティが確立されていない場合に、構成タイプがＭＡＣエンティティを確立することであると決定する。
【０２７１】
任意選択で、第１のメッセージが２次セルグループ確立および修正識別もしくは２次ＭＡＣ構成識別を含み、２次セルグループに対応するＭＡＣエンティティが既に確立されている場合に、構成タイプがＭＡＣエンティティを再構成することであると決定する。
【０２７２】
任意選択で、第１のメッセージが２次セルグループ解放識別もしくは２次ＭＡＣ解放識別を含み、２次セルグループに対応するＭＡＣエンティティが既に確立されている場合に、構成タイプがＭＡＣエンティティを解放することであると決定する。
【０２７３】
任意選択で、第１のメッセージが２次セルグループ確立および修正識別と２次セルグループ解放識別とを含み、２次セルグループに対応するＭＡＣエンティティが既に確立されている場合に、構成タイプがＭＡＣエンティティをリセットすることであると決定する。
【０２７４】
任意選択で、第１のメッセージが２次ＭＡＣ構成識別および２次セルグループ解放識別を含み、２次セルグループに対応するＭＡＣエンティティが既に確立されている場合に、構成タイプがＭＡＣエンティティをリセットすることであると決定する。
【０２７５】
任意選択で、第１のメッセージが２次ＭＡＣ構成識別および２次ＭＡＣ解放識別を含み、２次セルグループに対応するＭＡＣエンティティが既に確立されている場合に、構成タイプがＭＡＣエンティティをリセットすることであると決定する。
【０２７６】
任意選択で、第１のメッセージが２次セルグループリセット識別もしくは２次ＭＡＣリセット識別を含み、２次セルグループに対応するＭＡＣエンティティが既に確立されている場合に、構成タイプがＭＡＣエンティティをリセットすることであると決定する。
【０２７７】
Ｓ４０３：ユーザ機器が、構成タイプに従って無線ベアラまたはＭＡＣエンティティを構成する。
【０２７８】
第１のタイプの無線ベアラは、マスタセルグループ無線ベアラとすることが可能であり、第２のタイプの無線ベアラは、２次セルグループ無線ベアラとすることが可能であり、第３のタイプの無線ベアラは、オフロード無線ベアラとすることが可能である。
【０２７９】
具体的には、構成タイプを決定した後で、ユーザ機器は、構成タイプに従って無線ベアラを構成する、または構成タイプに従って２次セルグループに対応するＭＡＣエンティティを構成し、非アクセス層にメッセージを送信して無線ベアラの構成が完了したことを示して、ユーザ機器が対応する構成動作を完了したことをネットワークに通知する。
【０２８０】
マスタセルグループ無線ベアラを確立すると決定したときには、ユーザ機器は、ＰＤＣＰ−１を確立し、ＲＬＣ−１およびＬＣＨ−Ｍを確立し、無線ベアラが確立されたことを非アクセス層に示し、ここで、ＬＣＨ−Ｍは、マスタセルグループに対応するＭＡＣエンティティ中のＬＣＨである。
【０２８１】
２次セルグループ無線ベアラを確立すると決定したときには、ユーザ機器は、ＰＤＣＰ−１を確立し、ＲＬＣ−１およびＬＣＨ−Ｓを確立し、無線ベアラが確立されたことを非アクセス層に示し、ここで、ＬＣＨ−Ｓは、２次セルグループに対応するＭＡＣエンティティ中のＬＣＨである。
【０２８２】
オフロード無線ベアラを確立すると決定したときには、ユーザ機器は、ＰＤＣＰ−１を確立し、ＲＬＣ−１およびＲＬＣ−２を確立し、ＬＣＨ−ＭおよびＬＣＨ−Ｓを確立し、無線ベアラが確立されたことを非アクセス層に示す。
【０２８３】
任意選択で、マスタセルグループ無線ベアラを再構成すると決定したときに、ユーザ機器は、ＰＤＣＰ−１、ＲＬＣ−１、またはＬＣＨ−Ｍを再構成する。
【０２８４】
任意選択で、２次セルグループ無線ベアラを再構成すると決定したときに、ユーザ機器は、ＰＤＣＰ−１、ＲＬＣ−１、またはＬＣＨ−Ｓを再構成する。
【０２８５】
任意選択で、オフロード無線ベアラを再構成すると決定したときに、ユーザ機器は、ＰＤＣＰ−１、ＲＬＣ−１、ＲＬＣ−２、ＬＣＨ−Ｍ、またはＬＣＨ−Ｓを再構成する。
【０２８６】
任意選択で、マスタセルグループ無線ベアラを解放すると決定したときに、ユーザ機器は、ＰＤＣＰ−１、ＲＬＣ−１、およびＬＣＨ−Ｍを解放し、無線ベアラが解放されたことを非アクセス層に示す。
【０２８７】
任意選択で、２次セルグループ無線ベアラを解放すると決定したときに、ユーザ機器は、ＰＤＣＰ−１、ＲＬＣ−１、およびＬＣＨ−Ｓを解放し、無線ベアラが解放されたことを非アクセス層に示す。
【０２８８】
任意選択で、オフロード無線ベアラを解放すると決定したときに、ユーザ機器は、ＰＤＣＰ−１を解放し、ＲＬＣ−１およびＲＬＣ−２を解放し、ＬＣＨ−ＭおよびＬＣＨ−Ｓを解放し、無線ベアラが解放されたことを非アクセス層に示す。
【０２８９】
任意選択で、マスタセルグループ無線ベアラをマスタセルグループ無線ベアラとして再確立すると決定したときには、ユーザ機器は、ＰＤＣＰ−１およびＲＬＣ−１を再確立し、２次セルグループ無線ベアラをマスタセルグループ無線ベアラとして再確立すると決定したときには、ユーザ機器は、ＰＤＣＰ−１およびＲＬＣ−１を再確立し、ＬＣＨ−Ｍを確立し、ＬＣＨ−Ｓを解放し、または、オフロード無線ベアラをマスタセルグループ無線ベアラとして再確立すると決定したときには、ユーザ機器は、ＰＤＣＰ−１、ＲＬＣ−１およびＲＬＣ−２を再確立し、ＲＬＣ−２およびＬＣＨ−Ｓを解放することが可能である。
【０２９０】
ユーザ機器は、ＲＬＣ−２を再確立して、ＲＬＣエンティティが受信されたデータをＰＤＣＰに転送するようにし、このデータがＰＤＣＰに転送された後は、ＲＬＣ−２が無効になり、ユーザ機器がＲＬＣ−２を解放することに留意されたい。
【０２９１】
任意選択で、マスタセルグループ無線ベアラを２次セルグループ無線ベアラとして再確立すると決定したときには、ユーザ機器は、ＰＤＣＰ−１およびＲＬＣ−１を再確立し、ＬＣＨ−Ｓを確立し、ＬＣＨ−Ｍを解放し、２次セルグループ無線ベアラを２次セルグループ無線ベアラとして再確立すると決定したときには、ユーザ機器は、ＰＤＣＰ−１およびＲＬＣ−１を再確立し、または、オフロード無線ベアラを２次セルグループ無線ベアラとして再確立すると決定したときには、ユーザ機器は、ＰＤＣＰ−１およびＲＬＣ−２を再確立し、また、ユーザ機器は、ＲＬＣ−１を再確立し、ＲＬＣ−１およびＬＣＨ−Ｍを解放することが可能である。
【０２９２】
任意選択で、マスタセルグループ無線ベアラをオフロード無線ベアラとして再確立すると決定したときには、ユーザ機器は、ＲＬＣ−２およびＬＣＨ−Ｓを確立し、２次セルグループ無線ベアラをオフロード無線ベアラとして再確立すると決定したときには、ユーザ機器は、ＰＤＣＰ−１およびＲＬＣ−１を再確立し、ＲＬＣ−２およびＬＣＨ−Ｍを確立し、または、オフロード無線ベアラをオフロード無線ベアラとして再確立すると決定したときには、ユーザ機器は、ＰＤＣＰ−１、ＲＬＣ−１およびＲＬＣ−２を再確立することが可能である。
【０２９３】
前述の動作のプロセスにおいて、ユーザ機器は、ＰＤＣＰステータス報告をネットワークデバイスに送信することが可能である、または、ユーザ機器は、ＰＤＣＰ−１、ＲＬＣ、ＲＬＣ−２、ＬＣＨ−Ｍ、もしくはＬＣＨ−Ｓを再構成することが可能であるが、これは、本発明の本実施形態では限定されないことに留意されたい。
【０２９４】
前述の動作のプロセスにおいて、無線ベアラをマスタセルグループ無線ベアラとして再確立する（再確立）プロセスは、無線ベアラをマスタセルグループ無線ベアラに切り替える（切替え）プロセスと呼ばれてもまたよく、ここで、このプロセスは、１つの２次セルグループベアラもしくは１つのオフロード無線ベアラを１つのマスタセルグループベアラに切り替えるために使用され得る、または１つのマスタセルグループベアラを新たなマスタセルグループに関連付けるために使用され得ることに留意されたい。前述の目的が達成される限り、このプロセスの具体的なステップは、本実施形態で与えられる具体的なステップに限定されない。
【０２９５】
前述の動作のプロセスにおいて、無線ベアラを２次セルグループ無線ベアラとして再確立する（再確立）プロセスは、無線ベアラを２次セルグループ無線ベアラに切り替える（切替え）プロセスと呼ばれてもまたよく、ここで、このプロセスは、１つのマスタセルグループベアラもしくは１つのオフロード無線ベアラを１つの２次セルグループベアラに切り替えるために使用され得る、または１つの２次セルグループベアラを新たな２次セルグループに関連付けるために使用され得ることに留意されたい。前述の目的が達成される限り、このプロセスの具体的なステップは、本実施形態で与えられる具体的なステップに限定されない。
【０２９６】
前述の動作のプロセスにおいて、無線ベアラをオフロード無線ベアラとして再確立する（再確立）プロセスは、無線ベアラをオフロード無線ベアラに切り替える（切替え）プロセスと呼ばれてもまたよく、ここで、このプロセスは、１つのマスタセルグループベアラもしくは１つの２次セルグループベアラを１つのオフロード無線ベアラに切り替えるために使用され得る、または１つのオフロード無線ベアラを新たなマスタセルグループもしくは新たな２次セルグループに関連付けるために使用され得ることに留意されたい。前述の目的が達成される限り、このプロセスの具体的なステップは、本実施形態で与えられる具体的なステップに限定されない。
【０２９７】
任意選択で、ユーザ機器は、構成タイプに従って、２次セルグループに対応するＭＡＣエンティティに対して動作を実行することが可能である。
【０２９８】
具体的には、無線リソース制御メッセージが２次セルグループ確立および修正リストを含む場合、２次セルグループ確立および修正リストが無線ベアラに対応する進化型パケットシステム識別を含むと決定したときに、ユーザ機器の現在の構成が進化型パケットシステム識別を含まない場合には、進化型パケットシステム識別に対応する媒体アクセス制御ＭＡＣエンティティを確立すると決定する。
【０２９９】
無線リソース制御メッセージが２次セルグループ確立および修正リストを含む場合、２次セルグループ確立および修正リストが無線ベアラに対応する進化型パケットシステム識別を含むと決定したときに、ユーザ機器の現在の構成が進化型パケットシステム識別を含む場合には、進化型パケットシステム識別に対応する媒体アクセス制御ＭＡＣエンティティを再構成すると決定する。
【０３００】
無線リソース制御メッセージが２次セルグループ解放リストを含む場合、２次セルグループ解放リストが無線ベアラに対応する進化型パケットシステム識別を含むと決定したときに、ユーザ機器の現在の構成が進化型パケットシステム識別を含む場合には、進化型パケットシステム識別に対応する媒体アクセス制御ＭＡＣエンティティを解放すると決定する。
【０３０１】
無線リソース制御メッセージが２次セルグループ確立および修正リストと２次セルグループ解放リストとを含む場合、２次セルグループ確立および修正リストと２次セルグループ解放リストとが両方とも無線ベアラに対応する進化型パケットシステム識別を含むと決定したときに、進化型パケットシステム識別に対応する媒体アクセス制御ＭＡＣエンティティを再確立すると決定する。
【０３０２】
任意選択で、無線リソース制御メッセージが２次セルグループ確立および修正識別を含むと決定したときに、媒体アクセス制御ＭＡＣエンティティが存在しないと決定した場合には、ユーザ機器は、媒体アクセス制御ＭＡＣエンティティを確立すると決定する。
【０３０３】
無線リソース制御メッセージが２次セルグループ確立および修正識別を含むと決定したときに、媒体アクセス制御ＭＡＣエンティティが存在すると決定した場合には、ユーザ機器は、媒体アクセス制御ＭＡＣエンティティを再構成すると決定する。
【０３０４】
無線リソース制御メッセージが２次セルグループ解放識別を含むと決定したときに、ユーザ機器は、媒体アクセス制御ＭＡＣエンティティを解放すると決定する。
【０３０５】
無線リソース制御メッセージが２次セルグループ再確立識別を含むと決定したときに、ユーザ機器は、媒体アクセス制御ＭＡＣエンティティを再確立すると決定する。
【０３０６】
前述の解決策を使用することにより、ユーザ機器は、ネットワークデバイスから送信された第１のメッセージを受信し、第１のメッセージに従って構成タイプを決定し、この構成タイプに従って、第１のタイプの無線ベアラ、第２のタイプの無線ベアラ、および第３のタイプの無線ベアラを構成する、またはこの構成タイプに従って、２次セルグループに対応する媒体アクセス制御ＭＡＣエンティティを構成する。このようにして、ユーザ機器は、基地局から送信された無線リソース制御メッセージに従って、様々なタイプの無線ベアラを正しく構成し、ＭＡＣエンティティを正しく構成することができる。
【０３０７】
簡単な説明のために、前述の方法の実施形態は、一連のアクションの組合せとして記載されていることに留意されたい。しかし、当業者なら、本発明が、記載されているシーケンスのアクションに限定されないことを承知されたい。第２に、当業者なら、本明細書に記載される実施形態は全て例示的な実施形態に属し、関連するアクションおよびモジュールは、本発明にとって必要なものではないことを承知されたい。
【０３０８】
本発明の実施形態は、ネットワークデバイス５０を提供する。図５に示すように、ネットワークデバイス５０は、
プロセッサ（プロセッサ）５１と、通信インタフェース（通信インタフェース）５２と、メモリ（メモリ）５３と、通信バス５４とを含み、プロセッサ５１と、通信インタフェース５２と、メモリ５３とは、通信バス５４を使用することによって互いに通信する。
【０３０９】
プロセッサ５１は、中央処理ユニットＣＰＵ、または特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または本発明の実施形態を実施するように構成された１もしくは複数の集積回路とすることが可能である。
【０３１０】
メモリ５３は、実行可能プログラムコードを記憶するように構成され、このプログラムコードは、コンピュータ実行可能命令を含む。メモリ５３は、高速ＲＡＭメモリを含むことができ可能であり、例えば少なくとも１つの磁気ディスクメモリなどの不揮発性メモリ（不揮発性メモリ）をさらに含むことも可能である。
【０３１１】
通信インタフェース５２は、装置間の接続通信を実施するように構成される。
【０３１２】
プロセッサ５１は、プログラムコードを実行し、構成タイプを決定し、構成タイプに従って第１のメッセージを生成し、第１のメッセージをユーザ機器に送信する。
【０３１３】
構成タイプは、ユーザ機器が無線ベアラ上または２次セルグループに対応する媒体アクセス制御ＭＡＣエンティティ上で実行する必要がある動作を指し、第１のメッセージは、無線ベアラまたはＭＡＣエンティティを構成するようにユーザ機器に命令するために使用される。
【０３１４】
任意選択で、プロセッサ５１は、構成タイプが第１のタイプの無線ベアラを確立もしくは再構成することであると決定したときに、無線ベアラの識別情報と、第１の無線ベアラ確立および修正リストとを取得し、識別情報を第１の無線ベアラ確立および修正リストに追加し、第１の無線ベアラ確立および修正リストを含む第１のメッセージを生成するように構成される。
【０３１５】
任意選択で、プロセッサ５１は、構成タイプが第２のタイプの無線ベアラを確立または再構成することであると決定したときに、無線ベアラの識別情報と、第２の無線ベアラ確立および修正リストとを取得し、識別情報を第２の無線ベアラ確立および修正リストに追加し、第２の無線ベアラ確立および修正リストを含む第１のメッセージを生成するように構成される。
【０３１６】
任意選択で、プロセッサ５１は、構成タイプが第３のタイプの無線ベアラを確立または再構成することであると決定したときに、無線ベアラの識別情報と、第１の無線ベアラ確立および修正リストと、第２の無線ベアラ確立および修正リストとを取得し、識別情報を第１の無線ベアラ確立および修正リストと第２の無線ベアラ確立および修正リストとに追加し、第１の無線ベアラ確立および修正リストと第２の無線ベアラ確立および修正リストとを含む第１のメッセージを生成するように構成される。
【０３１７】
任意選択で、プロセッサ５１は、構成タイプが無線ベアラを解放することであると決定したときに、無線ベアラの識別情報および第１の無線ベアラ解放リストを取得し、識別情報を第１の無線ベアラ解放リストに追加し、第１の無線ベアラ解放リストを含む第１のメッセージを生成するように構成される。
【０３１８】
任意選択で、プロセッサ５１は、構成タイプが無線ベアラを解放することであると決定したときに、無線ベアラの識別情報および第２の無線ベアラ解放リストを取得し、識別情報を第２の無線ベアラ解放リストに追加し、第２の無線ベアラ解放リストを含む第１のメッセージを生成するように構成される。
【０３１９】
任意選択で、プロセッサ５１は、構成タイプが無線ベアラを解放することであると決定したときに、無線ベアラの識別情報、第１の無線ベアラ解放リスト、および第２の無線ベアラ解放リストを取得し、識別情報を第１の無線ベアラ解放リストおよび第２の無線ベアラ解放リストに追加し、第１の無線ベアラ解放リストおよび第２の無線ベアラ解放リストを含む第１のメッセージを生成するように構成される。
【０３２０】
任意選択で、プロセッサ５１は、構成タイプがユーザ機器に対応する全ての確立された無線ベアラを第１のタイプの無線ベアラとして再確立することであると決定したときに、第１の再確立識別を含む第１のメッセージを生成するように構成される。
【０３２１】
任意選択で、プロセッサ５１は、構成タイプがユーザ機器に対応する全ての確立された無線ベアラを第１のタイプの無線ベアラとして再確立することであると決定したときに、無線ベアラの識別情報、および第１のタイプの無線ベアラ再確立リストを取得し、識別情報を第１のタイプの無線ベアラ再確立リストに追加し、第１のタイプの無線ベアラ再確立リストを含む第１のメッセージを生成するように構成される。
【０３２２】
任意選択で、プロセッサ５１は、構成タイプがユーザ機器に対応する全ての確立された無線ベアラを第１のタイプの無線ベアラとして再確立することであると決定したときに、無線ベアラの識別情報と、第１の無線ベアラ解放リストと、第１の無線ベアラ確立および修正リストとを取得し、識別情報を第１の無線ベアラ解放リストと第１の無線ベアラ確立および修正リストとに追加し、第１の無線ベアラ解放リストと第１の無線ベアラ確立および修正リストとを含む第１のメッセージを生成するように構成される。
【０３２３】
任意選択で、プロセッサ５１は、構成タイプがユーザ機器に対応する全ての確立された無線ベアラを第１のタイプの無線ベアラとして再確立することであると決定したときに、無線ベアラの識別情報と、無線ベアラの識別情報に対応する進化型パケットシステムベアラの識別情報と、第１の無線ベアラ解放リストと、第１の無線ベアラ確立および修正リストとを取得し、無線ベアラの識別情報を第１の無線ベアラ解放リストに追加し、進化型パケットシステムベアラの識別情報を第１の無線ベアラ確立および修正リストに追加し、第１の無線ベアラ解放リストと第１の無線ベアラ確立および修正リストとを含む第１のメッセージを生成するように構成される。
【０３２４】
任意選択で、プロセッサ５１は、構成タイプがユーザ機器に対応する全ての確立された無線ベアラを第１のタイプの無線ベアラとして再確立することであると決定したときに、進化型パケットシステムベアラの識別情報と、第１の無線ベアラ解放リストと、第１の無線ベアラ確立および修正リストとを取得し、進化型パケットシステムベアラの識別情報を第１の無線ベアラ解放リストと第１の無線ベアラ確立および修正リストとに追加し、第１の無線ベアラ解放リストと第１の無線ベアラ確立および修正リストとを含む第１のメッセージを生成するように構成される。
【０３２５】
任意選択で、プロセッサ５１は、構成タイプがユーザ機器に対応する全ての確立された無線ベアラを第１のタイプの無線ベアラとして再確立することであると決定したときに、無線ベアラの識別情報と、マスタセルグループ解放識別と、第１の無線ベアラ確立および修正リストとを取得し、無線ベアラの識別情報を第１の無線ベアラ確立および修正リストに追加し、マスタセルグループ解放識別と第１の無線ベアラ確立および修正リストとを含む第１のメッセージを生成するように構成される。
【０３２６】
任意選択で、プロセッサ５１は、構成タイプがユーザ機器に対応する全ての確立された無線ベアラを第１のタイプの無線ベアラとして再確立することであると決定したときに、進化型パケットシステムベアラの識別情報と、マスタセルグループ解放識別と、第１の無線ベアラ確立および修正リストとを取得し、進化型パケットシステムベアラの識別情報を第１の無線ベアラ確立および修正リストに追加し、マスタセルグループ解放識別と第１の無線ベアラ確立および修正リストとを含む第１のメッセージを生成するように構成される。
【０３２７】
任意選択で、プロセッサ５１は、構成タイプがユーザ機器に対応する全ての確立された無線ベアラを第２のタイプの無線ベアラとして再確立することであると決定したときに、第２の再確立識別を含む第１のメッセージを生成するように構成される。
【０３２８】
任意選択で、プロセッサ５１は、構成タイプがユーザ機器に対応する全ての確立された無線ベアラを第２のタイプの無線ベアラとして再確立することであると決定したときに、無線ベアラの識別情報、および第２のタイプの無線ベアラ再確立リストを取得し、識別情報を第２のタイプの無線ベアラ再確立リストに追加し、第２のタイプの無線ベアラ再確立リストを含む第１のメッセージを生成するように構成される。
【０３２９】
任意選択で、プロセッサ５１は、構成タイプがユーザ機器に対応する全ての確立された無線ベアラを第２のタイプの無線ベアラとして再確立することであると決定したときに、無線ベアラの識別情報と、第１の無線ベアラ解放リストと、第２の無線ベアラ確立および修正リストとを取得し、識別情報を第１の無線ベアラ解放リストと第２の無線ベアラ確立および修正リストとに追加し、第１の無線ベアラ解放リストと第２の無線ベアラ確立および修正リストとを含む第１のメッセージを生成するように構成される。
【０３３０】
任意選択で、プロセッサ５１は、構成タイプがユーザ機器に対応する全ての確立された無線ベアラを第２のタイプの無線ベアラとして再確立することであると決定したときに、無線ベアラの識別情報と、第２の無線ベアラ解放リストと、第２の無線ベアラ確立および修正リストとを取得し、識別情報を第２の無線ベアラ解放リストと第２の無線ベアラ確立および修正リストとに追加し、第２の無線ベアラ解放リストと第２の無線ベアラ確立および修正リストとを含む第１のメッセージを生成するように構成される。
【０３３１】
任意選択で、プロセッサ５１は、構成タイプがユーザ機器に対応する全ての確立された無線ベアラを第２のタイプの無線ベアラとして再確立することであると決定したときに、無線ベアラの識別情報と、無線ベアラの識別情報に対応する進化型パケットシステムベアラの識別情報と、第１の無線ベアラ解放リストと、第２の無線ベアラ確立および修正リストとを取得し、無線ベアラの識別情報を第１の無線ベアラ解放リストに追加し、進化型パケットシステムベアラの識別情報を第２の無線ベアラ確立および修正リストに追加し、第１の無線ベアラ解放リストと第２の無線ベアラ確立および修正リストとを含む第１のメッセージを生成するように構成される。
【０３３２】
任意選択で、プロセッサ５１は、構成タイプがユーザ機器に対応する全ての確立された無線ベアラを第２のタイプの無線ベアラとして再確立することであると決定したときに、無線ベアラの識別情報と、無線ベアラの識別情報に対応する進化型パケットシステムベアラの識別情報と、第２の無線ベアラ解放リストと、第２の無線ベアラ確立および修正リストとを取得し、無線ベアラの識別情報を第２の無線ベアラ解放リストに追加し、進化型パケットシステムベアラの識別情報を第２の無線ベアラ確立および修正リストに追加し、第２の無線ベアラ解放リストと第２の無線ベアラ確立および修正リストとを含む第１のメッセージを生成するように構成される。
【０３３３】
任意選択で、プロセッサ５１は、構成タイプがユーザ機器に対応する全ての確立された無線ベアラを第２のタイプの無線ベアラとして再確立することであると決定したときに、進化型パケットシステムベアラの識別情報と、第１の無線ベアラ解放リストと、第２の無線ベアラ確立および修正リストとを取得し、進化型パケットシステムベアラの識別情報を第１の無線ベアラ解放リストと第２の無線ベアラ確立および修正リストとに追加し、第１の無線ベアラ解放リストと第２の無線ベアラ確立および修正リストとを含む第１のメッセージを生成するように構成される。
【０３３４】
任意選択で、プロセッサ５１は、構成タイプがユーザ機器に対応する全ての確立された無線ベアラを第２のタイプの無線ベアラとして再確立することであると決定したときに、進化型パケットシステムベアラの識別情報と、第２の無線ベアラ解放リストと、第２の無線ベアラ確立および修正リストとを取得し、進化型パケットシステムベアラの識別情報を第２の無線ベアラ解放リストと第２の無線ベアラ確立および修正リストとに追加し、第２の無線ベアラ解放リストと第２の無線ベアラ確立および修正リストとを含む第１のメッセージを生成するように構成される。
【０３３５】
任意選択で、プロセッサ５１は、構成タイプがユーザ機器に対応する全ての確立された無線ベアラを第２のタイプの無線ベアラとして再確立することであると決定したときに、無線ベアラの識別情報と、２次セルグループ解放識別と、第２の無線ベアラ確立および修正リストとを取得し、無線ベアラの識別情報を第２の無線ベアラ確立および修正リストに追加し、２次セルグループ解放識別と第２の無線ベアラ確立および修正リストとを含む第１のメッセージを生成するように構成される。
【０３３６】
任意選択で、プロセッサ５１は、構成タイプがユーザ機器に対応する全ての確立された無線ベアラを第２のタイプの無線ベアラとして再確立することであると決定したときに、進化型パケットシステムベアラの識別情報と、２次セルグループ解放識別と、第２の無線ベアラ確立および修正リストとを取得し、進化型パケットシステムベアラの識別情報を第２の無線ベアラ確立および修正リストに追加し、２次セルグループ解放識別と第２の無線ベアラ確立および修正リストとを含む第１のメッセージを生成するように構成される。
【０３３７】
任意選択で、プロセッサ５１は、構成タイプがユーザ機器に対応する全ての確立された無線ベアラを第３のタイプの無線ベアラとして再確立することであると決定したときに、第３の再確立識別を含む第１のメッセージを生成するように構成される。
【０３３８】
任意選択で、プロセッサ５１は、構成タイプがユーザ機器に対応する全ての確立された無線ベアラを第３のタイプの無線ベアラとして再確立することであると決定したときに、無線ベアラの識別情報、および第３のタイプの無線ベアラ再確立リストを取得し、識別情報を第３のタイプの無線ベアラ再確立リストに追加し、第３のタイプの無線ベアラ再確立リストを含む第１のメッセージを生成するように構成される。
【０３３９】
任意選択で、プロセッサ５１は、構成タイプがユーザ機器に対応する全ての確立された無線ベアラを第３のタイプの無線ベアラとして再確立することであると決定したときに、無線ベアラの識別情報と、第１の無線ベアラ解放リストと、第１の無線ベアラ確立および修正リストと、第２の無線ベアラ確立および修正リストとを取得し、無線ベアラの識別情報を第１の無線ベアラ解放リストと、第１の無線ベアラ確立および修正リストと、第２の無線ベアラ確立および修正リストとに追加し、第１の無線ベアラ解放リストと、第１の無線ベアラ確立および修正リストと、第２の無線ベアラ確立および修正リストとを含む第１のメッセージを生成するように構成される。
【０３４０】
任意選択で、プロセッサ５１は、構成タイプがユーザ機器に対応する全ての確立された無線ベアラを第３のタイプの無線ベアラとして再確立することであると決定したときに、無線ベアラの識別情報と、第１の無線ベアラ解放リストと、第２の無線ベアラ解放リストと、第１の無線ベアラ確立および修正リストと、第２の無線ベアラ確立および修正リストとを取得し、無線ベアラの識別情報を第１の無線ベアラ解放リストと、第２の無線ベアラ解放リストと、第１の無線ベアラ確立および修正リストと第２の無線ベアラ確立および修正リストとに追加し、第１の無線ベアラ解放リストと、第２の無線ベアラ解放リストと、第１の無線ベアラ確立および修正リストと第２の無線ベアラ確立および修正リストとを含む第１のメッセージを生成するように構成される。
【０３４１】
任意選択で、プロセッサ５１は、構成タイプがユーザ機器に対応する全ての確立された無線ベアラを第３のタイプの無線ベアラとして再確立することであると決定したときに、無線ベアラの第１の識別情報と、無線ベアラの第２の識別情報と、無線ベアラの第１の識別情報に対応する進化型パケットシステムベアラの識別情報と、第１の無線ベアラ解放リストと、第１の無線ベアラ確立および修正リストと、第２の無線ベアラ確立および修正リストとを取得し、無線ベアラの第１の識別情報を第１の無線ベアラ解放リストに追加し、無線ベアラの第１の識別情報、無線ベアラの第２の識別情報および進化型パケットシステムベアラの識別情報を第１の無線ベアラ確立および修正リストに追加し、無線ベアラの第２の識別情報を第２の無線ベアラ確立および修正リストに追加し、第１の無線ベアラ解放リストと、第１の無線ベアラ確立および修正リストと、第２の無線ベアラ確立および修正リストとを含む第１のメッセージを生成するように構成される。
【０３４２】
任意選択で、プロセッサ５１は、構成タイプがユーザ機器に対応する全ての確立された無線ベアラを第３のタイプの無線ベアラとして再確立することであると決定したときに、無線ベアラの第１の識別情報と、無線ベアラの第２の識別情報と、無線ベアラの第１の識別情報に対応する進化型パケットシステムベアラの識別情報と、第１の無線ベアラ解放リストと、第２の無線ベアラ解放リストと、第１の無線ベアラ確立および修正リストと、第２の無線ベアラ確立および修正リストとを取得し、無線ベアラの第１の識別情報を第１の無線ベアラ解放リストおよび第２の無線ベアラ解放リストに追加し、無線ベアラの第２の識別情報および進化型パケットシステムベアラの識別情報を第１の無線ベアラ確立および修正リストに追加し、無線ベアラの第２の識別情報を第２の無線ベアラ確立および修正リストに追加し、第１の無線ベアラ解放リストと、第２の無線ベアラ解放リストと、第１の無線ベアラ確立および修正リストと、第２の無線ベアラ確立および修正リストとを含む第１のメッセージを生成するように構成される。
【０３４３】
任意選択で、プロセッサ５１は、構成タイプがユーザ機器に対応する全ての確立された無線ベアラを第３のタイプの無線ベアラとして再確立することであると決定したときに、進化型パケットシステムベアラの識別情報と、進化型パケットシステムベアラに対応する無線ベアラの識別情報と、第１の無線ベアラ解放リストと、第１の無線ベアラ確立および修正リストと、第２の無線ベアラ確立および修正リストとを取得し、進化型パケットシステムベアラの識別情報を第１の無線ベアラ解放リストに追加し、進化型パケットシステムベアラの識別情報および無線ベアラの識別情報を第１の無線ベアラ確立および修正リストに追加し、無線ベアラの識別情報を第２の無線ベアラ確立および修正リストに追加し、第１の無線ベアラ解放リストと、第１の無線ベアラ確立および修正リストと、第２の無線ベアラ確立および修正リストとを含む第１のメッセージを生成するように構成される。
【０３４４】
任意選択で、プロセッサ５１は、構成タイプがユーザ機器に対応する全ての確立された無線ベアラを第３のタイプの無線ベアラとして再確立することであると決定したときに、進化型パケットシステムベアラの識別情報と、進化型パケットシステムベアラに対応する無線ベアラの識別情報と、第１の無線ベアラ解放リストと、第２の無線ベアラ解放リストと、第１の無線ベアラ確立および修正リストと、第２の無線ベアラ確立および修正リストとを取得し、進化型パケットシステムベアラの識別情報を第１の無線ベアラ解放リストおよび第２の無線ベアラ解放リストに追加し、進化型パケットシステムベアラの識別情報および無線ベアラの識別情報を第１の無線ベアラ確立および修正リストに追加し、無線ベアラの識別情報を第２の無線ベアラ確立および修正リストに追加し、第１の無線ベアラ解放リストと、第２の無線ベアラ解放リストと、第１の無線ベアラ確立および修正リストと、第２の無線ベアラ確立および修正リストとを含む第１のメッセージを生成するように構成される。
【０３４５】
任意選択で、プロセッサ５１は、構成タイプがユーザ機器に対応する全ての確立された無線ベアラを第３のタイプの無線ベアラとして再確立することであると決定したときに、無線ベアラの識別情報と、マスタセルグループ解放識別と、第１の無線ベアラ確立および修正リストと、第２の無線ベアラ確立および修正リストとを取得し、無線ベアラの識別情報を第１の無線ベアラ確立および修正リストと第２の無線ベアラ確立および修正リストとに追加し、マスタセルグループ解放識別と、第１の無線ベアラ確立および修正リストと、第２の無線ベアラ確立および修正リストとを含む第１のメッセージを生成するように構成される。
【０３４６】
任意選択で、プロセッサ５１は、構成タイプがユーザ機器に対応する全ての確立された無線ベアラを第３のタイプの無線ベアラとして再確立することであると決定したときに、無線ベアラの識別情報と、２次セルグループ解放識別と、第１の無線ベアラ確立および修正リストと、第２の無線ベアラ確立および修正リストとを取得し、無線ベアラの識別情報を第１の無線ベアラ確立および修正リストと第２の無線ベアラ確立および修正リストとに追加し、２次セルグループ解放識別と、第１の無線ベアラ確立および修正リストと、第２の無線ベアラ確立および修正リストとを含む第１のメッセージを生成するように構成される。
【０３４７】
任意選択で、プロセッサ５１は、構成タイプがユーザ機器に対応する全ての確立された無線ベアラを第３のタイプの無線ベアラとして再確立することであると決定したときに、進化型パケットシステムベアラの識別情報と、進化型パケットシステムベアラの識別情報に対応する無線ベアラの識別情報と、マスタセルグループ解放識別と、第１の無線ベアラ確立および修正リストと、第２の無線ベアラ確立および修正リストとを取得し、進化型パケットシステムベアラの識別情報および無線ベアラの識別情報を第１の無線ベアラ確立および修正リストに追加し、無線ベアラの識別情報を第２の無線ベアラ確立および修正リストに追加し、マスタセルグループ解放識別と、第１の無線ベアラ確立および修正リストと、第２の無線ベアラ確立および修正リストとを含む第１のメッセージを生成するように構成される。
【０３４８】
任意選択で、プロセッサ５１は、構成タイプがユーザ機器に対応する全ての確立された無線ベアラを第３のタイプの無線ベアラとして再確立することであると決定したときに、進化型パケットシステムベアラの識別情報と、進化型パケットシステムベアラの識別情報に対応する無線ベアラの識別情報と、２次セルグループ解放識別と、第１の無線ベアラ確立および修正リストと、第２の無線ベアラ確立および修正リストとを取得し、進化型パケットシステムベアラの識別情報および無線ベアラの識別情報を第１の無線ベアラ確立および修正リストに追加し、無線ベアラの識別情報を第２の無線ベアラ確立および修正リストに追加し、２次セルグループ解放識別と、第１の無線ベアラ確立および修正リストと、第２の無線ベアラ確立および修正リストとを含む第１のメッセージを生成するように構成される。
【０３４９】
任意選択で、プロセッサ５１は、構成タイプが２次セルグループに対応するＭＡＣエンティティを確立または再構成することであると決定したときに、２次セルグループの識別と、２次セルグループ確立および修正リストとを取得し、２次セルグループの識別を２次セルグループ確立および修正リストに追加し、２次セルグループ確立および修正リストを含む第１のメッセージを生成するように構成される。
【０３５０】
任意選択で、プロセッサ５１は、構成タイプが２次セルグループに対応するＭＡＣエンティティを確立または再構成することであると決定したときに、２次セルグループ確立および修正識別を取得し、２次セルグループ確立および修正識別を含む第１のメッセージを生成するように構成される。
【０３５１】
任意選択で、プロセッサ５１は、構成タイプが２次セルグループに対応するＭＡＣエンティティを確立または再構成することであると決定したときに、２次ＭＡＣ構成識別を取得し、２次ＭＡＣ構成識別を含む第１のメッセージを生成するように構成される。
【０３５２】
任意選択で、プロセッサ５１は、構成タイプが２次セルグループに対応するＭＡＣエンティティを解放することであると決定したときに、２次セルグループの識別および２次セルグループ解放リストを取得し、２次セルグループの識別を２次セルグループ解放リストに追加し、２次セルグループ解放リストを含む第１のメッセージを生成するように構成される。
【０３５３】
任意選択で、プロセッサ５１は、構成タイプが２次セルグループに対応するＭＡＣエンティティを解放することであると決定したときに、２次セルグループ解放識別を取得し、２次セルグループ解放識別を含む第１のメッセージを生成するように構成される。
【０３５４】
任意選択で、プロセッサ５１は、構成タイプが２次セルグループに対応するＭＡＣエンティティを解放することであると決定したときに、２次ＭＡＣ解放識別を取得し、２次ＭＡＣ解放識別を含む第１のメッセージを生成するように構成される。
【０３５５】
任意選択で、プロセッサ５１は、構成タイプが２次セルグループに対応するＭＡＣエンティティをリセットすることであると決定したときに、２次セルグループの識別と、２次セルグループ確立および修正リストと、２次セルグループ解放リストとを取得し、２次セルグループの識別を２次セルグループ確立および修正リストと２次セルグループ解放リストとに追加し、２次セルグループ確立および修正リストと２次セルグループ解放リストとを含む第１のメッセージを生成するように構成される。
【０３５６】
任意選択で、プロセッサ５１は、構成タイプが２次セルグループに対応するＭＡＣエンティティをリセットすることであると決定したときに、２次セルグループ確立および修正識別と、２次セルグループ解放識別とを取得し、２次セルグループ確立および修正識別と２次セルグループ解放識別とを含む第１のメッセージを生成するように構成される。
【０３５７】
任意選択で、プロセッサ５１は、構成タイプが２次セルグループに対応するＭＡＣエンティティをリセットすることであると決定したときに、２次ＭＡＣ構成識別および２次セルグループ解放識別を取得し、２次ＭＡＣ構成識別および２次セルグループ解放識別を含む第１のメッセージを生成するように構成される。
【０３５８】
任意選択で、プロセッサ５１は、構成タイプが２次セルグループに対応するＭＡＣエンティティをリセットすることであると決定したときに、２次ＭＡＣ構成識別および２次ＭＡＣ解放識別を取得し、２次ＭＡＣ構成識別および２次ＭＡＣ解放識別を含む第１のメッセージを生成するように構成される。
【０３５９】
任意選択で、プロセッサ５１は、構成タイプが２次セルグループに対応するＭＡＣエンティティをリセットすることであると決定したときに、２次セルグループリセット識別を取得し、２次セルグループリセット識別を含む第１のメッセージを生成するように構成される。
【０３６０】
任意選択で、プロセッサ５１は、構成タイプが２次セルグループに対応するＭＡＣエンティティをリセットすることであると決定したときに、２次ＭＡＣリセット識別を取得し、２次ＭＡＣリセット識別を含む第１のメッセージを生成するように構成される。
【０３６１】
ネットワークデバイス５０の通信インタフェースがトランシーバを含み、プロセッサ５１が、このトランシーバを使用することによって図３に示される方法の実施形態の方法を実施することが可能であることに留意されたい。
【０３６２】
当業者なら、具体的な動作プロセスおよびネットワークデバイス５０の説明について、説明の便宜および簡潔さのために前述の方法の実施形態における対応するプロセスを指しており、それ以上の詳細が本明細書で再度提供されることはないことを明確に理解することが可能である。
【０３６３】
本発明の実施形態は、ユーザ機器６０を提供する。図６に示すように、ユーザ機器６０は、
プロセッサ（プロセッサ）６１と、通信インタフェース（通信インタフェース）６２と、メモリ（メモリ）６３と、通信バス６４とを含み、プロセッサ６１と、通信インタフェース６２と、メモリ６３とは、通信バス６４を使用することによって互いに通信する。
【０３６４】
プロセッサ６１は、中央処理ユニットＣＰＵ、または特定用途向け集積回路ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、または本発明の実施形態を実施するように構成された１もしくは複数の集積回路とすることが可能である。
【０３６５】
メモリ６３は、実行可能プログラムコードを記憶するように構成され、このプログラムコードは、コンピュータ実行可能命令を含む。メモリ６３は、高速ＲＡＭメモリを含むことが可能であり、例えば少なくとも１つの磁気ディスクメモリなどの不揮発性メモリ（不揮発性メモリ）をさらに含むことも可能である。
【０３６６】
通信インタフェース６２は、装置間の接続通信を実施するように構成される。
【０３６７】
プロセッサ６１は、プログラムコードを実行し、ネットワークデバイスから送信される第１のメッセージを受信し、第１のメッセージに従って無線ベアラまたはＭＡＣエンティティを構成する構成タイプを決定し、構成タイプに従って無線ベアラまたはＭＡＣエンティティを構成する。
【０３６８】
第１のメッセージは、無線ベアラを構成するように、または２次セルグループに対応する媒体アクセス制御ＭＡＣエンティティを構成するようにユーザ機器に命令するために使用され、構成タイプは、ユーザ機器が無線ベアラ上または２次セルグループに対応する媒体アクセス制御ＭＡＣエンティティ上で実行する必要がある動作を指す。
【０３６９】
任意選択で、プロセッサ６１は、第１のメッセージが第１の無線ベアラ確立および修正リストを含み、第１の無線ベアラ確立および修正リストが無線ベアラの識別情報を含み、無線ベアラの識別情報がユーザ機器の現在の構成にない場合に、構成タイプが第１のタイプの無線ベアラを確立することであると決定するように構成される。
【０３７０】
任意選択で、プロセッサ６１は、第１のメッセージが第２の無線ベアラ確立および修正リストを含み、第２の無線ベアラ確立および修正リストが無線ベアラの識別情報を含み、無線ベアラの識別情報がユーザ機器の現在の構成にない場合に、構成タイプが第２のタイプの無線ベアラを確立することであると決定するように構成される。
【０３７１】
任意選択で、プロセッサ６１は、第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にない場合に、構成タイプが第３のタイプの無線ベアラを確立することであると決定するように構成される。
【０３７２】
任意選択で、プロセッサ６１は、第１のメッセージが第１の無線ベアラ確立および修正リストを含み、第１の無線ベアラ確立および修正リストが無線ベアラの識別情報を含み、無線ベアラの識別情報がユーザ機器の現在の構成にある場合に、構成タイプが無線ベアラを再構成することであると決定するように構成される。
【０３７３】
任意選択で、プロセッサ６１は、第１のメッセージが第２の無線ベアラ確立および修正リストを含み、第２の無線ベアラ確立および修正リストが無線ベアラの識別情報を含み、無線ベアラの識別情報がユーザ機器の現在の構成にある場合に、構成タイプが無線ベアラを再構成することであると決定するように構成される。
【０３７４】
任意選択で、プロセッサ６１は、第１のメッセージが第１の無線ベアラ確立および修正リストと第２の無線ベアラ確立および修正リストとを含み、第１の無線ベアラ確立および修正リストが無線ベアラの識別情報を含み、第２の無線ベアラ確立および修正リストが無線ベアラの識別情報を含み、無線ベアラの識別情報がユーザ機器の現在の構成にある場合に、構成タイプが無線ベアラを再構成することであると決定するように構成される。
【０３７５】
任意選択で、プロセッサ６１は、第１のメッセージが第１の無線ベアラ解放リストを含み、第１の無線ベアラ解放リストが無線ベアラの識別情報を含み、無線ベアラの識別情報がユーザ機器の現在の構成にある場合に、構成タイプが無線ベアラを解放することであると決定するように構成される。
【０３７６】
任意選択で、プロセッサ６１は、第１のメッセージが第２の無線ベアラ解放リストを含み、第２の無線ベアラ解放リストが無線ベアラの識別情報を含み、無線ベアラの識別情報がユーザ機器の現在の構成にある場合に、構成タイプが無線ベアラを解放することであると決定するように構成される。
【０３７７】
任意選択で、プロセッサ６１は、第１のメッセージが第１の無線ベアラ解放リストおよび第２の無線ベアラ解放リストを含み、第１の無線ベアラ解放リストおよび第２の無線ベアラ解放リストが両方とも無線ベアラの識別情報を含み、無線ベアラの識別情報がユーザ機器の現在の構成にある場合に、構成タイプが無線ベアラを解放することであると決定するように構成される。
【０３７８】
任意選択で、プロセッサ６１は、第１のメッセージが第１の再確立識別を含む場合に、構成タイプが全ての無線ベアラを第１のタイプの無線ベアラとして再確立することであると決定するように構成される。
【０３７９】
任意選択で、プロセッサ６１は、第１のメッセージが第２の再確立識別を含む場合に、構成タイプが全ての無線ベアラを第２のタイプの無線ベアラとして再確立することであると決定するように構成される。
【０３８０】
任意選択で、プロセッサ６１は、第１のメッセージが第３の再確立識別を含む場合に、構成タイプが全ての無線ベアラを第３のタイプの無線ベアラとして再確立することであると決定するように構成される。
【０３８１】
任意選択で、プロセッサ６１は、第１のメッセージが第１のタイプの無線ベアラ再確立リストを含み、第１のタイプの無線ベアラ再確立リストが無線ベアラの識別情報を含み、無線ベアラの識別情報がユーザ機器の現在の構成にある場合に、構成タイプが無線ベアラを第１のタイプの無線ベアラとして再確立することであると決定するように構成される。
【０３８２】
任意選択で、プロセッサ６１は、第１のメッセージが第２のタイプの無線ベアラ再確立リストを含み、第２のタイプの無線ベアラ再確立リストが無線ベアラの識別情報を含み、無線ベアラの識別情報がユーザ機器の現在の構成にある場合に、構成タイプが無線ベアラを第２のタイプの無線ベアラとして再確立することであると決定するように構成される。
【０３８３】
任意選択で、プロセッサ６１は、第１のメッセージが第３のタイプの無線ベアラ再確立リストを含み、第３のタイプの無線ベアラ再確立リストが無線ベアラの識別情報を含み、無線ベアラの識別情報がユーザ機器の現在の構成にある場合に、構成タイプが無線ベアラを第３のタイプの無線ベアラとして再確立することであると決定するように構成される。
【０３８４】
任意選択で、プロセッサ６１は、第１のメッセージが第１の無線ベアラ解放リストと第１の無線ベアラ確立および修正リストとを含み、第１の無線ベアラ解放リストと第１の無線ベアラ確立および修正リストとが両方とも無線ベアラの識別情報を含み、無線ベアラの識別情報がユーザ機器の現在の構成にある場合に、構成タイプが無線ベアラを第１のタイプの無線ベアラとして再確立することであると決定するように構成される。
【０３８５】
任意選択で、プロセッサ６１は、第１のメッセージが第１の無線ベアラ解放リストと第２の無線ベアラ確立および修正リストとを含み、第１の無線ベアラ解放リストと第２の無線ベアラ確立および修正リストとが両方とも無線ベアラの識別情報を含み、無線ベアラの識別情報がユーザ機器の現在の構成にある場合に、構成タイプが無線ベアラを第２のタイプの無線ベアラとして再確立することであると決定するように構成される。
【０３８６】
任意選択で、プロセッサ６１は、第１のメッセージが第２の無線ベアラ解放リストと第２の無線ベアラ確立および修正リストとを含み、第２の無線ベアラ解放リストと第２の無線ベアラ確立および修正リストとが両方とも無線ベアラの識別情報を含み、無線ベアラの識別情報がユーザ機器の現在の構成にある場合に、構成タイプが無線ベアラを第２のタイプの無線ベアラとして再確立することであると決定するように構成される。
【０３８７】
任意選択で、プロセッサ６１は、第１のメッセージが第１の無線ベアラ解放リストと、第１の無線ベアラ確立および修正リストと、第２の無線ベアラ確立および修正リストとを含み、第１の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合に、構成タイプが無線ベアラを第３のタイプの無線ベアラとして再確立することであると決定するように構成される。
【０３８８】
任意選択で、プロセッサ６１は、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストと、第２の無線ベアラ解放リストと、第１の無線ベアラ確立および修正リストと、第２の無線ベアラ確立および修正リストとが全て無線ベアラの識別情報を含み、無線ベアラの識別情報がユーザ機器の現在の構成にある場合に、構成タイプが無線ベアラを第３のタイプの無線ベアラとして再確立することであると決定するように構成される。
【０３８９】
任意選択で、プロセッサ６１は、第１のメッセージが第１の無線ベアラ解放リストと第１の無線ベアラ確立および修正リストとを含み、第１の無線ベアラ解放リストが無線ベアラの識別情報を含み、第１の無線ベアラ確立および修正リストが無線ベアラの識別情報に対応する進化型パケットシステムベアラの識別情報を含み、無線ベアラの識別情報がユーザ機器の現在の構成にある場合に、構成タイプが無線ベアラを第１のタイプの無線ベアラとして再確立することであると決定するように構成される。
【０３９０】
任意選択で、プロセッサ６１は、第１のメッセージが第１の無線ベアラ解放リストと第２の無線ベアラ確立および修正リストとを含み、第１の無線ベアラ解放リストが無線ベアラの識別情報を含み、第２の無線ベアラ確立および修正リストが無線ベアラの識別情報に対応する進化型パケットシステムベアラの識別情報を含み、無線ベアラの識別情報がユーザ機器の現在の構成にある場合に、構成タイプが無線ベアラを第２のタイプの無線ベアラとして再確立することであると決定するように構成される。
【０３９１】
任意選択で、プロセッサ６１は、第１のメッセージが第２の無線ベアラ解放リストと第２の無線ベアラ確立および修正リストとを含み、第２の無線ベアラ解放リストが無線ベアラの識別情報を含み、第２の無線ベアラ確立および修正リストが無線ベアラの識別情報に対応する進化型パケットシステムベアラの識別情報を含み、無線ベアラの識別情報がユーザ機器の現在の構成にある場合に、構成タイプが無線ベアラを第２のタイプの無線ベアラとして再確立することであると決定するように構成される。
【０３９２】
任意選択で、プロセッサ６１は、第１のメッセージが第１の無線ベアラ解放リストと、第１の無線ベアラ確立および修正リストと、第２の無線ベアラ確立および修正リストとを含み、第１の無線ベアラ解放リストが無線ベアラの第１の識別情報を含み、第１の無線ベアラ確立および修正リストが無線ベアラの第１の識別情報に対応する進化型パケットシステムベアラの識別情報を含み、かつ無線ベアラの第２の識別情報を含み、第２の無線ベアラ確立および修正リストが無線ベアラの第２の識別情報を含み、無線ベアラの第１の識別情報がユーザ機器の現在の構成にある場合に、構成タイプが無線ベアラを第３のタイプの無線ベアラとして再確立することであると決定するように構成される。
【０３９３】
任意選択で、プロセッサ６１は、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも無線ベアラの第１の識別情報を含み、第１の無線ベアラ確立および修正リストが無線ベアラの第１の識別情報に対応する進化型パケットシステムベアラの識別情報を含み、かつ無線ベアラの第２の識別情報を含み、第２の無線ベアラ確立および修正リストが無線ベアラの第２の識別情報を含み、無線ベアラの第１の識別情報がユーザ機器の現在の構成にある場合に、構成タイプが無線ベアラを第３のタイプの無線ベアラとして再確立することであると決定するように構成される。
【０３９４】
任意選択で、プロセッサ６１は、第１のメッセージが第１の無線ベアラ解放リストと第１の無線ベアラ確立および修正リストとを含み、第１の無線ベアラ解放リストが進化型パケットシステムベアラの識別情報を含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定するように構成される。
【０３９５】
任意選択で、プロセッサ６１は、第１のメッセージが第１の無線ベアラ解放リストと第２の無線ベアラ確立および修正リストとを含み、第１の無線ベアラ解放リストが進化型パケットシステムベアラの識別情報を含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定するように構成される。
【０３９６】
任意選択で、プロセッサ６１は、第１のメッセージが第２の無線ベアラ解放リストと第２の無線ベアラ確立および修正リストとを含み、第２の無線ベアラ解放リストが進化型パケットシステムベアラの識別情報を含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定するように構成される。
【０３９７】
任意選択で、プロセッサ６１は、第１のメッセージが第１の無線ベアラ解放リストと、第１の無線ベアラ確立および修正リストと、第２の無線ベアラ確立および修正リストとを含み、第１の無線ベアラ解放リストが進化型パケットシステムベアラの識別情報を含み、第１の無線ベアラ確立および修正リストが進化型パケットシステムベアラの識別情報を含み、かつ進化型パケットシステムベアラに対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定するように構成される。
【０３９８】
任意選択で、プロセッサ６１は、第１のメッセージが第１の無線ベアラ解放リストと、第２の無線ベアラ解放リストと、第１の無線ベアラ確立および修正リストと、第２の無線ベアラ確立および修正リストとを含み、第１の無線ベアラ解放リストおよび第２の無線ベアラ解放リストが両方とも進化型パケットシステムベアラの識別情報を含み、第１の無線ベアラ確立および修正リストが進化型パケットシステムベアラの識別情報を含み、かつ進化型パケットシステムベアラに対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定するように構成される。
【０３９９】
任意選択で、プロセッサ６１は、第１のメッセージがマスタセルグループ解放識別と第１の無線ベアラ確立および修正リストとを含み、第１の無線ベアラ確立および修正リストが無線ベアラの識別情報を含み、無線ベアラの識別情報がユーザ機器の現在の構成にある場合に、構成タイプが無線ベアラを第１のタイプの無線ベアラとして再確立することであると決定するように構成される。
【０４００】
任意選択で、プロセッサ６１は、第１のメッセージが２次セルグループ解放識別と第２の無線ベアラ確立および修正リストとを含み、第２の無線ベアラ確立および修正リストが無線ベアラの識別情報を含み、無線ベアラの識別情報がユーザ機器の現在の構成にある場合に、構成タイプが無線ベアラを第２のタイプの無線ベアラとして再確立することであると決定するように構成される。
【０４０１】
任意選択で、プロセッサ６１は、第１のメッセージがマスタセルグループ解放識別と、第１の無線ベアラ確立および修正リストと、第２の無線ベアラ確立および修正リストとを含み、第１の無線ベアラ確立および修正リストと第２の無線ベアラ解放リストとが両方とも無線ベアラの識別情報を含み、無線ベアラの識別情報がユーザ機器の現在の構成にある場合に、構成タイプが無線ベアラを第３のタイプの無線ベアラとして再確立することであると決定するように構成される。
【０４０２】
任意選択で、プロセッサ６１は、第１のメッセージが２次セルグループ解放識別と、第１の無線ベアラ確立および修正リストと、第２の無線ベアラ確立および修正リストとを含み、第１の無線ベアラ確立および修正リストと第２の無線ベアラ確立および修正リストとが両方とも無線ベアラの識別情報を含み、無線ベアラの識別情報がユーザ機器の現在の構成にある場合に、構成タイプが無線ベアラを第３のタイプの無線ベアラとして再確立することであると決定するように構成される。
【０４０３】
任意選択で、プロセッサ６１は、第１のメッセージがマスタセルグループ解放識別と第１の無線ベアラ確立および修正リストとを含み、第１の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第１のタイプの無線ベアラとして再確立することであると決定するように構成される。
【０４０４】
任意選択で、プロセッサ６１は、第１のメッセージが２次セルグループ解放識別と第２の無線ベアラ確立および修正リストとを含み、第２の無線ベアラ確立および修正リストが進化型パケットシステムベアラの識別情報を含み、進化型パケットシステムベアラの識別情報がユーザ機器の現在の構成にある場合に、構成タイプが進化型パケットシステムベアラに対応する無線ベアラを第２のタイプの無線ベアラとして再確立することであると決定するように構成される。
【０４０５】
任意選択で、プロセッサ６１は、第１のメッセージがマスタセルグループ解放識別と、第１の無線ベアラ確立および修正リストと、第２の無線ベアラ確立および修正リストとを含み、第１の無線ベアラ確立および修正リストが進化型パケットシステムベアラの識別情報を含み、かつ進化型パケットシステムベアラの識別情報に対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが無線ベアラを第３のタイプの無線ベアラとして再確立することであると決定するように構成される。
【０４０６】
任意選択で、プロセッサ６１は、第１のメッセージが２次セルグループ解放識別と、第１の無線ベアラ確立および修正リストと、第２の無線ベアラ確立および修正リストとを含み、第１の無線ベアラ確立および修正リストが進化型パケットシステムベアラの識別情報を含み、かつ進化型パケットシステムベアラの識別情報に対応する無線ベアラの識別情報を含み、第２の無線ベアラ確立および修正リストが無線ベアラの識別情報を含み、進化型パケットシステムベアラの識別情報がユーザ機器の現在の構成にある場合に、構成タイプが進化型パケットシステムベアラに対応する無線ベアラを第３のタイプの無線ベアラとして再確立することであると決定するように構成される。
【０４０７】
任意選択で、プロセッサ６１は、第１のメッセージが２次セルグループ確立および修正リストを含み、２次セルグループ確立および修正リストが２次セルグループの識別を含み、２次セルグループの識別がユーザ機器の現在の構成にない場合に、構成タイプが２次セルグループに対応するＭＡＣエンティティを確立することであると決定するように構成される。
【０４０８】
任意選択で、プロセッサ６１は、第１のメッセージが２次セルグループ確立および修正リストを含み、２次セルグループ確立および修正リストが２次セルグループの識別を含み、２次セルグループの識別がユーザ機器の現在の構成にある場合に、構成タイプが２次セルグループに対応するＭＡＣエンティティを再構成することであると決定するように構成される。
【０４０９】
任意選択で、プロセッサ６１は、第１のメッセージが２次セルグループ解放リストを含み、２次セルグループ解放リストが２次セルグループの識別を含み、２次セルグループの識別がユーザ機器の現在の構成にある場合に、構成タイプが２次セルグループに対応するＭＡＣエンティティを解放することであると決定するように構成される。
【０４１０】
任意選択で、プロセッサ６１は、第１のメッセージが２次セルグループ確立および修正リストと２次セルグループ解放リストとを含み、２次セルグループ確立および修正リストと２次セルグループ解放リストとが両方とも２次セルグループの識別を含み、２次セルグループの識別がユーザ機器の現在の構成にある場合に、構成タイプが２次セルグループに対応するＭＡＣエンティティをリセットすることであると決定するように構成される。
【０４１１】
任意選択で、プロセッサ６１は、第１のメッセージが２次セルグループ確立および修正識別もしくは２次ＭＡＣ構成識別を含み、２次セルグループに対応するＭＡＣエンティティが確立されていない場合に、構成タイプがＭＡＣエンティティを確立することであると決定するように構成される。
【０４１２】
任意選択で、プロセッサ６１は、第１のメッセージが２次セルグループ確立および修正識別もしくは２次ＭＡＣ構成識別を含み、２次セルグループに対応するＭＡＣエンティティが既に確立されている場合に、構成タイプがＭＡＣエンティティを再構成することであると決定するように構成される。
【０４１３】
任意選択で、プロセッサ６１は、第１のメッセージが２次セルグループ解放識別もしくは２次ＭＡＣ解放識別を含み、２次セルグループに対応するＭＡＣエンティティが既に確立されている場合に、構成タイプがＭＡＣエンティティを解放することであると決定するように構成される。
【０４１４】
任意選択で、プロセッサ６１は、第１のメッセージが２次セルグループ確立および修正識別と２次セルグループ解放識別とを含み、２次セルグループに対応するＭＡＣエンティティが既に確立されている場合に、構成タイプがＭＡＣエンティティをリセットすることであると決定するように構成される。
【０４１５】
任意選択で、プロセッサ６１は、第１のメッセージが２次ＭＡＣ構成識別および２次セルグループ解放識別を含み、２次セルグループに対応するＭＡＣエンティティが既に確立されている場合に、構成タイプがＭＡＣエンティティをリセットすることであると決定するように構成される。
【０４１６】
任意選択で、プロセッサ６１は、第１のメッセージが２次ＭＡＣ構成識別および２次ＭＡＣ解放識別を含み、２次セルグループに対応するＭＡＣエンティティが既に確立されている場合に、構成タイプがＭＡＣエンティティをリセットすることであると決定するように構成される。
【０４１７】
任意選択で、プロセッサ６１は、第１のメッセージが２次セルグループリセット識別もしくは２次ＭＡＣリセット識別を含み、２次セルグループに対応するＭＡＣエンティティが既に確立されている場合に、構成タイプがＭＡＣエンティティをリセットすることであると決定するように構成される。
【０４１８】
当業者なら、具体的な動作プロセスおよびユーザ機器６０の説明について、説明の便宜および簡潔さのために前述の方法の実施形態における対応するプロセスを指しており、それ以上の詳細が本明細書で再度提供されることはないことを明確に理解することが可能である。
【０４１９】
ユーザ機器６０の通信インタフェースがトランシーバを含み、プロセッサ６１が、このトランシーバを使用することによって図４に示される方法の実施形態の方法を実施することが可能であることに留意されたい。
【０４２０】
前述の説明は、本発明の単なる具体的な実施方法に過ぎず、本発明の保護範囲を限定するように意図されているものではない。本発明に開示される技術範囲内で当業者によって容易に考案される任意の変形または置換は、本発明の保護範囲内に含まれるものとする。したがって、本発明の保護範囲は、特許請求の範囲の保護範囲によって決まるものとする。
【図１】
0006423514.tif 000002
【図２】
0006423514.tif 000003
【図３】
0006423514.tif 000004
【図４】
0006423514.tif 000005
【図５】
0006423514.tif 000006
【図６】
0006423514.tif 000007